(57)【要約】  本発明は、基準シンボルインジケーション方法、デバイス及びシステムを開示し、ＤＭＲＳベースの開ループ伝送のためのＤＭＲＳポートインジケーション方法を提供する。方法は、ユーザ機器により、基地局により送信された（目標基準シンボルインジケーションを含む）目標パラメータ（ＤＭＲＳインジケーション）を受信する段階と、目標パラメータ及び予め設定された基準シンボルのマッピング関係（ＤＭＲＳマッピング関係）に基づいて、目標伝送モード及び目標基準シンボル情報を決定する段階と、目標基準シンボル情報（ＤＭＲＳメッセージ）に基づいて目標基準シンボル（ＤＭＲＳ）を生成する段階と、目標基準シンボル及び目標伝送モードに基づいてデータを復調する段階とを含み、予め設定された基準シンボルのマッピング関係は、基準シンボルインジケーションと、基準シンボル情報と伝送モード（開ループ又は閉ループ）との間のマッピング関係を含む。ＬＴＥシステムにおいて、ユーザ機器は、予め設定されたＤＭＲＳマッピング関係及び基地局により送信された目標パラメータに基づいて、データを復調するために用いられる伝送モード及びＤＭＲＳメッセージを決定してよく、その結果、ＤＭＲＳベースの開ループ伝送のためのＤＭＲＳポートインジケーション方法が提供され得る。
2019531015.tif 000002
【特許請求の範囲】
【請求項１】
基準シンボルインジケーション方法であって、
ユーザ機器により、基地局により送信された目標パラメータを受信する段階であって、前記目標パラメータは、目標基準シンボルインジケーションを有する、段階と、
前記ユーザ機器により、前記目標パラメータ及び予め設定された基準シンボルのマッピング関係に基づいて、目標伝送モード及び目標基準シンボル情報を決定する段階であって、前記予め設定された基準シンボルのマッピング関係は、基準シンボルインジケーションと、基準シンボル情報と、伝送モードとの間のマッピング関係を有し、前記伝送モードは、データを送信するために前記基地局により用いられる伝送モードであり、開ループ伝送モード及び閉ループ伝送モードを有する、段階と、
前記ユーザ機器により、前記目標基準シンボル情報に基づいて目標基準シンボルを生成して、前記目標基準シンボル及び前記目標伝送モードに基づいて前記データを復調する段階と
を備える方法。
【請求項２】
前記目標パラメータは、目標伝送モードインジケーションをさらに有し、
前記予め設定された基準シンボルのマッピング関係は、第１のマッピングテーブル及び第２のマッピングテーブルを有し、前記第１のマッピングテーブルは、前記開ループ伝送モードにおける前記基準シンボルインジケーションと前記基準シンボル情報との間のマッピング関係を有し、前記第２のマッピングテーブルは、前記閉ループ伝送モードにおける前記基準シンボルインジケーションと前記基準シンボル情報との間のマッピング関係を有し、
前記ユーザ機器により、前記目標パラメータ及び予め設定された基準シンボルのマッピング関係に基づいて、目標伝送モード及び目標基準シンボル情報を決定する前記段階は、
前記ユーザ機器により、前記目標伝送モードインジケーションに基づいて前記目標伝送モードを決定し、前記目標伝送モードに基づいて、前記第１のマッピングテーブル及び前記第２のマッピングテーブルの中から目標マッピングテーブルを決定し、前記目標マッピングテーブルにおいて、前記目標基準シンボルインジケーションに対応する前記目標基準シンボル情報を決定する段階であって、前記目標マッピングテーブルは、前記第１のマッピングテーブル及び前記第２のマッピングテーブルのうちの一方である、段階を有する、請求項１に記載の方法。
【請求項３】
ユーザ機器により、基地局により送信された目標パラメータを受信する前記段階は、
前記ユーザ機器により、ダウンリンク制御チャネルＰＤＣＣＨを通じて前記基地局により送信された前記目標パラメータを受信する段階であって、前記ＰＤＣＣＨ内の第１のフィールドは、前記目標伝送モードインジケーションを示すために用いられ、前記ＰＤＣＣＨ内の第２のフィールドは、前記目標基準シンボルインジケーションを示すために用いられる、段階を有する、請求項２に記載の方法。
【請求項４】
ユーザ機器により、基地局により送信された目標パラメータを受信する前記段階は、
前記ユーザ機器により、無線リソース制御ＲＲＣシグナリングを用いることにより、前記基地局により送信された前記目標伝送モードインジケーションを受信し、前記ＰＤＣＣＨを通じて前記基地局により送信された前記目標基準シンボルインジケーションを受信する段階を有する、請求項２に記載の方法。
【請求項５】
前記予め設定された基準シンボルのマッピング関係は、第３のマッピングテーブルを有し、前記第３のマッピングテーブルは、前記開ループ伝送モードにおける前記基準シンボルインジケーションと前記基準シンボル情報との間のマッピング関係、及び、前記閉ループ伝送モードにおける前記基準シンボルインジケーションと前記基準シンボル情報との間のマッピング関係を有し、
前記ユーザ機器により、前記目標パラメータ及び予め設定された基準シンボルのマッピング関係に基づいて、目標伝送モード及び目標基準シンボル情報を決定する前記段階は、
前記ユーザ機器により、前記目標基準シンボルインジケーションに基づいて、前記第３のマッピングテーブルにおいて、前記目標伝送モードを決定する段階と、前記第３のマッピングテーブルにおいて、前記目標基準シンボルインジケーションに対応する前記目標基準シンボル情報を決定する段階とを有する、請求項１に記載の方法。
【請求項６】
前記基準シンボルは、ＬＴＥシステムにおける復調基準信号ＤＭＲＳであり、前記基準シンボルインジケーションは、ＤＭＲＳインジケーションであり、前記基準シンボル情報は、ＤＭＲＳメッセージであり、前記ＤＭＲＳメッセージは、スクランブリングコードＮｓｃｉｄを有し、
前記スクランブリングコードＮｓｃｉｄの様々な値は、前記ＤＭＲＳインジケーションに対応する様々な伝送モードを示すために用いられ、前記開ループ伝送モードにおけるＤＭＲＳインジケーションに対応するＤＭＲＳメッセージにおいて、Ｎｓｃｉｄ＝１である、請求項５に記載の方法。
【請求項７】
前記基準シンボル情報は、直交カバーコードＯＣＣを有し、前記開ループ伝送モードにおける基準シンボル情報内の直交カバーコードの長さは、２より小さい又は２に等しい、請求項１から６のいずれか一項に記載の方法。
【請求項８】
前記基準シンボル情報は、データのトランスポート層の数を有し、前記開ループ伝送モードにおける前記基準シンボル情報内の前記データのトランスポート層の数は、４より小さい又は４に等しい、請求項１から６のいずれか一項に記載の方法。
【請求項９】
ユーザ機器により、基地局により送信された目標パラメータを受信する前記段階は、
前記ユーザ機器により、ＰＤＣＣＨを通じて前記基地局により送信された前記目標パラメータを受信する段階を有する、請求項５又は６に記載の方法。
【請求項１０】
基準シンボルインジケーション方法であって、
前記基地局により、ユーザ機器にデータを送信する段階と、
前記基地局により、予め設定された基準シンボルのマッピング関係と、前記データを送信するために用いられる目標伝送モード及び目標基準シンボル情報とに基づいて目標パラメータを決定する段階であって、前記予め設定された基準シンボルのマッピング関係は、基準シンボルインジケーションと、基準シンボル情報と、伝送モードとの間のマッピング関係を有し、前記伝送モードは、開ループ伝送モード及び閉ループ伝送モードを有する、段階と、
前記基地局により、前記ユーザ機器に前記目標パラメータを送信する段階であって、前記目標パラメータは、前記データを送信するために前記基地局により用いられる前記目標伝送モード及び前記目標基準シンボル情報を決定し、前記目標基準シンボル情報に基づいて目標基準シンボルを生成し、前記目標基準シンボル及び前記目標伝送モードに基づいて前記データを復調するよう前記ユーザ機器に指示するために用いられる、段階と
を備える方法。
【請求項１１】
前記目標パラメータは、目標伝送モードインジケーション及び目標基準シンボルインジケーションを有し、
前記予め設定された基準シンボルのマッピング関係は、第１のマッピングテーブル及び第２のマッピングテーブルを有し、前記第１のマッピングテーブルは、前記開ループ伝送モードにおける前記基準シンボルインジケーションと前記基準シンボル情報との間のマッピング関係を有し、前記第２のマッピングテーブルは、前記閉ループ伝送モードにおける前記基準シンボルインジケーションと前記基準シンボル情報との間のマッピング関係を有し、
前記基地局により、予め設定された基準シンボルのマッピング関係と、前記データを送信するために用いられる目標伝送モード及び目標基準シンボル情報とに基づいて目標パラメータを決定する前記段階は、
前記基地局により、前記目標伝送モードに基づいて前記目標伝送モードインジケーションを決定する段階と、
前記基地局により、前記目標伝送モードに基づいて、前記第１のマッピングテーブル及び前記第２のマッピングテーブルの中から目標マッピングテーブルを決定し、前記目標マッピングテーブルにおいて、前記目標基準シンボル情報に対応する前記目標基準シンボルインジケーションを決定する段階であって、前記目標マッピングテーブルは、前記第１のマッピングテーブル及び前記第２のマッピングテーブルのうちの一方である、段階と
を有する、請求項１０に記載の方法。
【請求項１２】
前記基地局により、前記ユーザ機器に前記目標パラメータを送信する前記段階は、
前記基地局により、ダウンリンク制御チャネルＰＤＣＣＨを通じて前記ユーザ機器に前記目標パラメータを送信する段階であって、前記ＰＤＣＣＨ内の第１のフィールドは、前記目標伝送モードインジケーションを示すために用いられ、前記ＰＤＣＣＨ内の第２のフィールドは、前記目標基準シンボルインジケーションを示すために用いられる、段階を有する、請求項１１に記載の方法。
【請求項１３】
前記基地局により、前記ユーザ機器に前記目標パラメータを送信する前記段階は、
前記基地局により、無線リソース制御ＲＲＣシグナリングを用いることにより、前記ユーザ機器に前記目標伝送モードインジケーションを送信し、ＰＤＣＣＨを通じて前記ユーザ機器に前記目標基準シンボルインジケーションを送信する段階を有する、請求項１１に記載の方法。
【請求項１４】
前記目標パラメータは、目標基準シンボルインジケーションを有し、
前記予め設定された基準シンボルのマッピング関係は、第３のマッピングテーブルを有し、前記第３のマッピングテーブルは、前記開ループ伝送モードにおける前記基準シンボルインジケーションと前記基準シンボル情報との間のマッピング関係、及び、前記閉ループ伝送モードにおける前記基準シンボルインジケーションと前記基準シンボル情報との間のマッピング関係を有する、段階と、
前記基地局により、予め設定された基準シンボルのマッピング関係と、前記データを送信するために用いられる目標伝送モード及び目標基準シンボル情報とに基づいて目標パラメータを決定する前記段階は、
前記ユーザ機器により、前記目標伝送モード及び前記目標基準シンボル情報に基づいて、前記第３のマッピングテーブルにおいて、前記目標基準シンボルインジケーションを決定する段階を有する、請求項１０に記載の方法。
【請求項１５】
前記基準シンボルは、ＬＴＥシステムにおける復調基準信号ＤＭＲＳであり、前記基準シンボルインジケーションは、ＤＭＲＳインジケーションであり、前記基準シンボル情報は、ＤＭＲＳメッセージであり、前記ＤＭＲＳメッセージは、スクランブリングコードＮｓｃｉｄを有し、
前記スクランブリングコードＮｓｃｉｄの様々な値は、前記ＤＭＲＳインジケーションに対応する様々な伝送モードを示すために用いられ、前記開ループ伝送モードにおけるＤＭＲＳインジケーションに対応するＤＭＲＳメッセージにおいて、Ｎｓｃｉｄ＝１である、請求項１４に記載の方法。
【請求項１６】
前記基準シンボル情報は、直交カバーコードＯＣＣを有し、前記開ループ伝送モードにおける基準シンボル情報内の直交カバーコードの長さは、２より小さい又は２に等しい、請求項１０から１５のいずれか一項に記載の方法。
【請求項１７】
前記基準シンボル情報は、データのトランスポート層の数を有し、前記開ループ伝送モードにおける前記基準シンボル情報内の前記データのトランスポート層の数は、４より小さい又は４に等しい、請求項１０から１５のいずれか一項に記載の方法。
【請求項１８】
前記基地局により、前記ユーザ機器に前記目標パラメータを前記送信する段階は、
前記基地局により、ＰＤＣＣＨを通じて前記ユーザ機器に前記目標基準シンボルインジケーションを送信する段階を有する、請求項１４又は１５に記載の方法。
【請求項１９】
基地局により送信された目標パラメータを受信するように構成される受信ユニットであって、前記目標パラメータは、目標基準シンボルインジケーションを有する、受信ユニットと、
前記目標パラメータ及び予め設定された基準シンボルのマッピング関係に基づいて、目標伝送モード及び目標基準シンボル情報を決定するように構成される基準シンボル情報決定ユニットであって、前記予め設定された基準シンボルのマッピング関係は、基準シンボルインジケーションと、基準シンボル情報と、伝送モードとの間のマッピング関係を有し、前記伝送モードは、データを送信するために前記基地局により用いられる伝送モードであり、開ループ伝送モード及び閉ループ伝送モードを有する、基準シンボル情報決定ユニットと、
前記目標基準シンボル情報に基づいて目標基準シンボルを生成するように構成される基準シンボル生成ユニットと、
前記目標基準シンボル及び前記目標伝送モードに基づいて前記データを復調するように構成されるデータ復調ユニットと
を備えるユーザ機器。
【請求項２０】
前記受信ユニットにより受信される前記目標パラメータは、目標伝送モードインジケーションをさらに有し、
前記予め設定された基準シンボルのマッピング関係は、第１のマッピングテーブル及び第２のマッピングテーブルを有し、前記第１のマッピングテーブルは、前記開ループ伝送モードにおける前記基準シンボルインジケーションと前記基準シンボル情報との間のマッピング関係を有し、前記第２のマッピングテーブルは、前記閉ループ伝送モードにおける前記基準シンボルインジケーションと前記基準シンボル情報との間のマッピング関係を有し、
前記基準シンボル情報決定ユニットは、具体的には、前記目標伝送モードインジケーションに基づいて前記目標伝送モードを決定し、前記目標伝送モードに基づいて、前記第１のマッピングテーブル及び前記第２のマッピングテーブルの中から目標マッピングテーブルを決定し、前記目標マッピングテーブルにおいて、前記目標基準シンボルインジケーションに対応する前記目標基準シンボル情報を決定するように構成され、前記目標マッピングテーブルは、前記第１のマッピングテーブル及び前記第２のマッピングテーブルのうちの一方である、請求項１９に記載のユーザ機器。
【請求項２１】
前記受信ユニットは、具体的には、ダウンリンク制御チャネルＰＤＣＣＨを通じて前記基地局により送信された前記目標パラメータを受信するように構成され、前記ＰＤＣＣＨ内の第１のフィールドは、前記目標伝送モードインジケーションを示すために用いられ、前記ＰＤＣＣＨ内の第２のフィールドは、前記目標基準シンボルインジケーションを示すために用いられる、請求項２０に記載のユーザ機器。
【請求項２２】
前記受信ユニットは、具体的には、無線リソース制御ＲＲＣシグナリングを用いることにより、前記基地局により送信された前記目標伝送モードインジケーションを受信し、前記ＰＤＣＣＨを通じて前記基地局により送信された前記目標基準シンボルインジケーションを受信するように構成される、請求項２０に記載の方法。
【請求項２３】
前記予め設定された基準シンボルのマッピング関係は、第３のマッピングテーブルを有し、前記第３のマッピングテーブルは、前記開ループ伝送モードにおける前記基準シンボルインジケーションと前記基準シンボル情報との間のマッピング関係、及び、前記閉ループ伝送モードにおける前記基準シンボルインジケーションと前記基準シンボル情報との間のマッピング関係を有し、
前記基準シンボル情報決定ユニットは、具体的には、前記目標基準シンボルインジケーションに基づいて、前記第３のマッピングテーブルにおいて、前記目標伝送モードを決定し、前記第３のマッピングテーブルにおいて、前記目標基準シンボルインジケーションに対応する前記目標基準シンボル情報を決定するように構成される、請求項１９に記載のユーザ機器。
【請求項２４】
前記基準シンボルは、ＬＴＥシステムにおける復調基準信号ＤＭＲＳであり、前記基準シンボルインジケーションは、ＤＭＲＳインジケーションであり、前記基準シンボル情報は、ＤＭＲＳメッセージであり、
前記ＤＭＲＳメッセージは、スクランブリングコードＮｓｃｉｄを有し、前記スクランブリングコードＮｓｃｉｄの様々な値は、前記ＤＭＲＳインジケーションに対応する様々な伝送モードを示すために用いられ、前記開ループ伝送モードにおけるＤＭＲＳインジケーションに対応するＤＭＲＳメッセージにおいて、Ｎｓｃｉｄ＝１である、請求項２３に記載のユーザ機器。
【請求項２５】
前記基準シンボル情報は、直交カバーコードＯＣＣを有し、前記開ループ伝送モードにおける基準シンボル情報内の直交カバーコードの長さは、２より小さい又は２に等しい、請求項１９から２４のいずれか一項に記載のユーザ機器。
【請求項２６】
前記基準シンボル情報は、データのトランスポート層の数を有し、前記開ループ伝送モードにおける前記基準シンボル情報内の前記データのトランスポート層の数は、４より小さい又は４に等しい、請求項１９から２４のいずれか一項に記載のユーザ機器。
【請求項２７】
前記受信ユニットは、具体的には、ＰＤＣＣＨを通じて前記基地局により送信された前記目標パラメータを受信するように構成される、請求項２３又は２４に記載のユーザ機器。
【請求項２８】
基地局であって、
ユーザ機器にデータを送信するように構成される送信ユニットと、
前記基地局により、予め設定された基準シンボルのマッピング関係と、前記データを送信するために用いられる目標伝送モード及び目標基準シンボル情報とに基づいて目標パラメータを決定するように構成される目標パラメータ決定ユニットであって、前記予め設定された基準シンボルのマッピング関係は、基準シンボルインジケーションと、基準シンボル情報と、伝送モードとの間のマッピング関係を有し、前記伝送モードは、開ループ伝送モード及び閉ループ伝送モードを有する、目標パラメータ決定ユニットと
を備え、
前記送信ユニットは、前記ユーザ機器に前記目標パラメータを送信するようにさらに構成され、前記目標パラメータは、前記データを送信するために前記基地局により用いられる前記目標伝送モード及び前記目標基準シンボル情報を決定し、前記目標基準シンボル情報に基づいて目標基準シンボルを生成し、前記目標基準シンボル及び前記目標伝送モードに基づいて前記データを復調するよう前記ユーザ機器に指示するために用いられる、基地局。
【請求項２９】
前記目標パラメータは、目標伝送モードインジケーション及び目標基準シンボルインジケーションを有し、
前記予め設定された基準シンボルのマッピング関係は、第１のマッピングテーブル及び第２のマッピングテーブルを有し、前記第１のマッピングテーブルは、前記開ループ伝送モードにおける前記基準シンボルインジケーションと前記基準シンボル情報との間のマッピング関係を有し、前記第２のマッピングテーブルは、前記閉ループ伝送モードにおける前記基準シンボルインジケーションと前記基準シンボル情報との間のマッピング関係を有し、
前記送信ユニットは、具体的には、前記目標伝送モードに基づいて前記目標伝送モードインジケーションを決定し、前記目標伝送モードに基づいて、前記第１のマッピングテーブル及び前記第２のマッピングテーブルの中から目標マッピングテーブルを決定し、前記目標マッピングテーブルにおいて、前記目標基準シンボル情報に対応する前記目標基準シンボルインジケーションを決定するように構成され、前記目標マッピングテーブルは、前記第１のマッピングテーブル及び前記第２のマッピングテーブルのうちの一方である、請求項２８に記載の基地局。
【請求項３０】
前記送信ユニットは、具体的には、ダウンリンク制御チャネルＰＤＣＣＨを通じて前記ユーザ機器に前記目標パラメータを送信するように構成され、前記ＰＤＣＣＨ内の第１のフィールドは、前記目標伝送モードインジケーションを示すために用いられ、前記ＰＤＣＣＨ内の第２のフィールドは、前記目標基準シンボルインジケーションを示すために用いられる、請求項２９に記載の基地局。
【請求項３１】
前記送信ユニットは、具体的には、無線リソース制御ＲＲＣシグナリングを用いることにより、前記ユーザ機器に前記目標伝送モードインジケーションを送信し、ＰＤＣＣＨを通じて前記ユーザ機器に前記目標基準シンボルインジケーションを送信するように構成される、請求項２９に記載の基地局。
【請求項３２】
前記目標パラメータは、目標基準シンボルインジケーションを有し、
前記予め設定された基準シンボルのマッピング関係は、第３のマッピングテーブルを有し、前記第３のマッピングテーブルは、前記開ループ伝送モードにおける前記基準シンボルインジケーションと前記基準シンボル情報との間のマッピング関係、及び、前記閉ループ伝送モードにおける前記基準シンボルインジケーションと前記基準シンボル情報との間のマッピング関係を有し、
前記送信ユニットは、具体的には、前記目標伝送モード及び前記目標基準シンボル情報に基づいて、前記第３のマッピングテーブルにおいて、前記目標基準シンボルインジケーションを決定するように構成される、請求項２８に記載の基地局。
【請求項３３】
前記基準シンボルは、ＬＴＥシステムにおける復調基準信号ＤＭＲＳであり、前記基準シンボルインジケーションは、ＤＭＲＳインジケーションであり、前記基準シンボル情報は、ＤＭＲＳメッセージであり、前記ＤＭＲＳメッセージは、スクランブリングコードＮｓｃｉｄを有し、
前記スクランブリングコードＮｓｃｉｄの様々な値は、前記ＤＭＲＳインジケーションに対応する様々な伝送モードを示すために用いられ、前記開ループ伝送モードにおけるＤＭＲＳインジケーションに対応するＤＭＲＳメッセージにおいて、Ｎｓｃｉｄ＝１である、請求項３２に記載の基地局。
【請求項３４】
前記基準シンボル情報は、直交カバーコードＯＣＣを有し、前記開ループ伝送モードにおける基準シンボル情報内の直交カバーコードの長さは、２より小さい又は２に等しい、請求項２８から３３のいずれか一項に記載の基地局。
【請求項３５】
前記基準シンボル情報は、データのトランスポート層の数を有し、前記開ループ伝送モードにおける前記基準シンボル情報内の前記データのトランスポート層の数は、４より小さい又は４に等しい、請求項２８から３３のいずれか一項に記載の基地局。
【請求項３６】
前記送信ユニットは、具体的には、ＰＤＣＣＨを通じて前記ユーザ機器に前記目標基準シンボルインジケーションを送信するように構成される、請求項３２又は３３に記載の基地局。
【請求項３７】
ユーザ機器であって、
互いに接続されるトランシーバと、プロセッサとメモリとを備え、
前記メモリは、プログラムコードを格納するように構成され、前記プロセッサは、前記メモリ内の前記プログラムコードを呼び出して、
前記トランシーバを用いることにより、基地局により送信された目標パラメータを受信する手順であって、前記目標パラメータは、目標基準シンボルインジケーションを有する、手順と、前記メモリ内の予め設定された基準シンボルのマッピング関係及び前記目標パラメータに基づいて、目標伝送モード及び目標基準シンボル情報を決定する手順と、前記目標基準シンボル情報に基づいて目標基準シンボルを生成する手順と、前記目標基準シンボル及び前記目標伝送モードに基づいてデータを復調する手順とを実行し、
前記予め設定された基準シンボルのマッピング関係は、基準シンボルインジケーションと、基準シンボル情報と、伝送モードとの間のマッピング関係を有し、前記伝送モードは、データを送信するために前記基地局により用いられる伝送モードであり、開ループ伝送モード及び閉ループ伝送モードを有する、ユーザ機器。
【請求項３８】
基地局であって、
互いに接続されるトランシーバと、プロセッサとメモリとを備え、
前記メモリは、プログラムコードを格納するように構成され、前記プロセッサは、前記メモリ内の前記プログラムコードを呼び出して、
前記トランシーバを用いることによりユーザ機器にデータを送信する手順と、予め設定された基準シンボルのマッピング関係と、前記データを送信するために用いられる目標伝送モード及び目標基準シンボル情報とに基づいて目標パラメータを決定する手順と、前記トランシーバを用いることにより前記ユーザ機器に前記目標パラメータを送信する手順とを実行し、
前記予め設定された基準シンボルのマッピング関係は、基準シンボルインジケーションと、基準シンボル情報と、伝送モードとの間のマッピング関係を有し、前記伝送モードは、開ループ伝送モード及び閉ループ伝送モードを有し、前記目標パラメータは、前記データを送信するために前記基地局により用いられる前記目標伝送モード及び前記目標基準シンボル情報を決定し、前記目標基準シンボル情報に基づいて目標基準シンボルを生成し、前記目標基準シンボル及び前記目標伝送モードに基づいて前記データを復調するよう前記ユーザ機器に指示するために用いられる、基地局。
【請求項３９】
請求項３７に記載のユーザ機器と、請求項３８に記載の基地局とを備える基準シンボルインジケーションシステム。
【発明の詳細な説明】
【技術分野】
【０００１】
本発明は、通信分野、特に、基準シンボルインジケーション方法、デバイス及びシステムに関する。
【背景技術】
【０００２】
ロングタームエボリューション（Ｌｏｎｇ  Ｔｅｒｍ  Ｅｖｏｌｕｔｉｏｎ、ＬＴＥ）システムでは、多入力多出力（Ｍｕｌｔｉｐｌｅ  Ｉｎｐｕｔ  ａｎｄ  Ｍｕｌｔｉｐｌｅ  Ｏｕｔｐｕｔ、ＭＩＭＯ）技術が幅広く適用されている。ＭＩＭＯ技術では、送信端及び受信端において複数のアンテナを用いることにより信号を送信及び受信するために、複数の送信アンテナ及び受信アンテナが、送信端及び受信端においてそれぞれ用いられ、その結果、空間リソースが全体に用いられることができ、複数のアンテナを用いることにより多入力多出力が実施される。このようにして、スペクトルリソース及びアンテナ送信電力を増やすことなく、システムのチャネル容量を倍にすることができる。
【０００３】
ダウンリンクＭＩＭＯ伝送は、開ループ伝送モード及び閉ループ伝送モードを含むことがある。開ループ伝送モードにおいて、ダウンリンクデータチャネルは、共通基準信号（Ｃｏｍｍｏｎ  Ｒｅｆｅｒｅｎｃｅ  Ｓｉｇｎａｌ、ＣＲＳ）に基づいて、すなわち、ＣＲＳを用いることにより、復調される。閉ループ伝送モードは、復調基準信号（Ｄｅ‐Ｍｏｄｕｌａｔｉｏｎ  Ｒｅｆｅｒｅｎｃｅ  Ｓｉｇｎａｌ、ＤＭＲＳ）に基づいたＣＲＳベースの閉ループ伝送モード及び閉ループ伝送モードを含む。ＣＲＳベースの開ループ及び閉ループ伝送解決手段において、ＣＲＳのポートは、セル内のすべてのユーザにより共有され、固定されており、動的に変更できない。したがって、基地局は、ＣＲＳのポートに関する情報をユーザ機器（Ｕｓｅｒ  Ｅｑｕｉｐｍｅｎｔ、ＵＥ）に動的に通知する必要はない。
【０００４】
既存のＬＴＥ規格では、ＤＭＲＳベースの閉ループ伝送解決手段があるだけであり、ＤＭＲＳベースの開ループ伝送解決手段はない。ＣＲＳベースの開ループ伝送解決手段とは異なり、ＤＭＲＳベースの伝送解決手段では、ＤＭＲＳのポートの数が動的に変更される。したがって、ＤＭＲＳのポートは、動的に通知される必要がある。しかしながら、従来技術には、ＤＭＲＳベースの開ループ伝送解決手段のためのＤＭＲＳポートインジケーション解決手段は存在しない。
【発明の概要】
【０００５】
本発明は、ＤＭＲＳベースの開ループ伝送をサポートする基準シンボルインジケーション方法、デバイス及びシステムを提供し、ＤＭＲＳベースの開ループ伝送のためのＤＭＲＳポートインジケーション方法を提供する。
【０００６】
本発明の実施形態の第１の態様は、基準シンボルインジケーション方法を提供し、方法は、
ユーザ機器により、基地局により送信された目標パラメータを受信する段階であって、目標パラメータは、目標基準シンボルインジケーションを含む、段階と、ユーザ機器により、目標パラメータ及び予め設定された基準シンボルのマッピング関係に基づいて、目標伝送モード及び目標基準シンボル情報を決定する段階であって、予め設定された基準シンボルのマッピング関係は、基準シンボルインジケーションと、基準シンボル情報と、伝送モードとの間のマッピング関係を含み、伝送モードは、データを送信するために基地局により用いられる伝送モードであり、開ループ伝送モード及び閉ループ伝送モードを含む、段階と、ユーザ機器により、目標基準シンボル情報に基づいて目標基準シンボルを生成して、目標基準シンボル及び目標伝送モードに基づいて、データを復調する段階とを含む。
【０００７】
本発明の実施形態において、端末は、予め設定された基準シンボルのマッピング関係を有する。基地局により送信された目標パラメータ（目標基準シンボルインジケーションを含む目標パラメータ）を受信する段階の後に、ユーザ機器は、目標パラメータ及び予め設定された基準シンボルのマッピング関係に基づいて、目標基準シンボルインジケーションに対応する伝送モードが開ループ伝送モード又は閉ループ伝送モードであると決定し、目標基準シンボル情報を決定し、目標基準シンボル情報に基づいて目標基準シンボルを生成して、目標基準シンボル及び伝送モードに基づいてデータを復調する。ＬＴＥシステムにおいて、基準シンボルはＤＭＲＳであり、基地局により送信された目標パラメータは、ＤＭＲＳインジケーションを含む。ユーザ機器は、予め設定されたＤＭＲＳマッピング関係を有し、目標パラメータに基づいて、ＤＭＲＳインジケーションに対応する伝送モードが、開ループ伝送モード又は閉ループ伝送モードであると決定し、ＤＭＲＳインジケーションに対応するＤＭＲＳメッセージを決定し、ＤＭＲＳメッセージに基づいてＤＭＲＳを生成し、決定した伝送モードに基づいてデータを復調してよい。このようにして、ＤＭＲＳベースの開ループ伝送のためのＤＭＲＳポートインジケーション方法が提供され得る。
【０００８】
第１の態様に関して、第１の態様の第１の可能な実施例では、目標パラメータは、目標伝送モードインジケーションをさらに含み、予め設定された基準シンボルのマッピング関係は、第１のマッピングテーブル及び第２のマッピングテーブルを含み、第１のマッピングテーブルは、開ループ伝送モードにおける基準シンボルインジケーションと基準シンボル情報との間のマッピング関係を含み、第２のマッピングテーブルは、閉ループ伝送モードにおける基準シンボルインジケーションと基準シンボル情報との間のマッピング関係を含み、ユーザ機器により、目標パラメータ及び予め設定された基準シンボルのマッピング関係に基づいて、目標伝送モード及び目標基準シンボル情報を決定する段階は、ユーザ機器により、目標伝送モードインジケーションに基づいて目標伝送モードを決定し、目標伝送モードに基づいて、第１のマッピングテーブル及び第２のマッピングテーブルの中から目標マッピングテーブルを決定し、目標マッピングテーブルにおいて、目標基準シンボルインジケーションに対応する目標基準シンボル情報を決定する段階であって、目標マッピングテーブルは、第１のマッピングテーブル及び第２のマッピングテーブルのうちの一方である、段階を含む。
【０００９】
このように、ユーザ機器の予め設定された基準シンボルのマッピング関係は、開ループ伝送における基準シンボルのマッピング関係及び閉ループ伝送モードにおける基準シンボルのマッピング関係にそれぞれ対応する２つの異なるマッピング関係テーブルの形式で存在する。さらに、基地局は、基準シンボルインジケーションを用いることなく、目標伝送モードインジケーションを用いることにより伝送モードをユーザ機器に通知し、その結果、ユーザ機器は、まず、目標伝送モードインジケーションを用いることにより使用対象のマッピング関係テーブルを決定し、次に、当該テーブルから目標基準シンボルを取得する。このように、解決手段がより実現可能となり得る。
【００１０】
第１の態様の第１の可能な実施例に関して、第１の態様の第２の可能な実施例では、ユーザ機器により、基地局により送信された目標パラメータを受信する段階は、ユーザ機器により、ダウンリンク制御チャネルＰＤＣＣＨを通じて基地局により送信された目標パラメータを受信する方式であって、ＰＤＣＣＨ内の第１のフィールドは、目標伝送モードインジケーションを示すために用いられ、ＰＤＣＣＨ内の第２のフィールドは、目標基準シンボルインジケーションを示すために用いられる、方式で実行されてよい。
【００１１】
目標伝送モードインジケーション及び目標基準シンボルインジケーションがＰＤＣＣＨを通じて通知される方式は、比較的柔軟であり、基地局は、ダウンリンクデータの伝送モードを動的に調整し得る。
【００１２】
第１の態様の第１の可能な実施例に関して、第１の態様の第３の可能な実施例では、ユーザ機器により、基地局により送信された目標パラメータを受信する段階は、ユーザ機器により、無線リソース制御ＲＲＣシグナリングを用いることにより、基地局により送信された目標伝送モードインジケーションを受信し、ＰＤＣＣＨを通じて基地局により送信された目標基準シンボルインジケーションを受信する段階を含む。
【００１３】
第１の態様に関して、第１の態様の第４の可能な実施例では、予め設定された基準シンボルのマッピング関係は、第３のマッピングテーブルを含み、第３のマッピングテーブルは、開ループ伝送モードにおける基準シンボルインジケーションと基準シンボル情報との間のマッピング関係、及び、閉ループ伝送モードにおける基準シンボルインジケーションと基準シンボル情報との間のマッピング関係を含み、ユーザ機器により、目標パラメータ及び予め設定された基準シンボルのマッピング関係に基づいて、目標伝送モード及び目標基準シンボル情報を決定する段階は、ユーザ機器により、目標基準シンボルインジケーションに基づいて、第３のマッピングテーブルにおいて、目標伝送モードを決定する段階と、第３のマッピングテーブルにおいて、目標基準シンボルインジケーションに対応する目標基準シンボル情報を決定する段階とを含む。
【００１４】
このように、ユーザ機器の予め設定された基準シンボルのマッピング関係は、マッピング関係テーブルの形式で存在し、様々な基準シンボルインジケーション値が、様々な伝送モード及び様々な基準シンボル情報を示す。したがって、基地局は、基地局のダウンリンクデータに用いられる伝送モードをユーザ機器に通知する必要はなく、その結果、インジケーション情報を伝送するために用いられるビット数を減らすことができる。
【００１５】
第１の態様の第４の可能な実施例に関して、第１の態様の第５の可能な実施例では、基準シンボルは、ＬＴＥシステムにおける復調基準信号ＤＭＲＳであり、基準シンボルインジケーションは、ＤＭＲＳインジケーションであり、基準シンボル情報は、ＤＭＲＳメッセージであり、ＤＭＲＳメッセージは、スクランブリングコードＮｓｃｉｄを含み、スクランブリングコードＮｓｃｉｄの様々な値は、ＤＭＲＳインジケーションに対応する様々な伝送モードを示すために用いられ、開ループ伝送モードにおけるＤＭＲＳインジケーションに対応するＤＭＲＳメッセージにおいて、Ｎｓｃｉｄ＝１である。第１の態様の第４又は第５の可能な実施例に関して、第１の態様の第６の可能な実施例では、基準シンボルは、ＬＴＥシステムにおける復調基準信号ＤＭＲＳであり、基準シンボルインジケーションは、ＤＭＲＳインジケーションであり、基準シンボル情報は、ＤＭＲＳメッセージであり、基準シンボルインジケーションと基準シンボル情報との間の対応関係における予約状態は、開ループ伝送モードにおけるＤＭＲＳメッセージを示すために用いられる。
【００１６】
第１の態様の任意の可能な実施例に関して、第１の態様の第７の可能な実施例では、端末が高速で移動する場合、性能は、ＯＣＣ＝４の場合に非常に悪く、高次元ＭＩＭＯをサポートすることが非常に困難である。したがって、基準シンボル情報は、直交カバーコードＯＣＣを含み、開ループ伝送モードにおける基準シンボル情報内の直交カバーコードの長さは、２より小さい又は２に等しい。
【００１７】
第１の態様の任意の可能な実施例に関して、第１の態様の第８の可能な実施例では、基準シンボル情報は、データのトランスポート層の数を含み、開ループ伝送モードにおける基準シンボル情報内のデータのトランスポート層の数は、４より小さい又は４に等しい。データの層の数を限定することにより、ＤＭＲＳポート情報を示すために用いられるビット数を減らすことができる。
【００１８】
第１の態様の第４から第８の可能な実施例に関して、第１の態様の第９の可能な実施例では、ユーザ機器により、基地局により送信された目標パラメータを受信する段階は、ユーザ機器により、ＰＤＣＣＨを通じて基地局により送信された目標パラメータを受信する段階を含む。
【００１９】
第２の態様によれば、本発明の実施形態は、基準シンボルインジケーション方法を提供し、方法は、
基地局により、ユーザ機器にデータを送信する段階と、基地局により、予め設定された基準シンボルのマッピング関係と、データを送信するために用いられる目標伝送モード及び目標基準シンボル情報とに基づいて目標パラメータを決定する段階であって、予め設定された基準シンボルのマッピング関係は、基準シンボルインジケーションと、基準シンボル情報と、伝送モードとの間のマッピング関係を含み、伝送モードは、開ループ伝送モード及び閉ループ伝送モードを含む、段階と、基地局により、ユーザ機器に目標パラメータを送信する段階であって、目標パラメータは、データを送信するために基地局により用いられる目標伝送モード及び目標基準シンボル情報を決定し、目標基準シンボル情報に基づいて目標基準シンボルを生成し、目標基準シンボル及び目標伝送モードに基づいてデータを復調するようユーザ機器に指示するために用いられる、段階を含む。
【００２０】
本発明の本実施形態において、基地局及びユーザ機器の両方は、予め設定された基準シンボルのマッピング関係を有し、データを送信するために用いられる伝送モード及び基準シンボル情報は、目標パラメータを用いることにより、基地局とユーザ機器との間に示され、その結果、ユーザ機器はデータを復調できる。ＬＴＥシステムにおいて、基準シンボルはＤＭＲＳである。本発明の本実施形態は、基地局とユーザ機器との間のＤＭＲＳベースの開ループ及び閉ループ伝送のためのＤＭＲＳポートインジケーション方法を提供し得る。
【００２１】
第２の態様に関して、第２の態様の第１の可能な実施例では、目標パラメータは、目標伝送モードインジケーション及び目標基準シンボルインジケーションを含み、予め設定された基準シンボルのマッピング関係は、第１のマッピングテーブル及び第２のマッピングテーブルを含み、第１のマッピングテーブルは、開ループ伝送モードにおける基準シンボルインジケーションと基準シンボル情報との間のマッピング関係を含み、第２のマッピングテーブルは、閉ループ伝送モードにおける基準シンボルインジケーションと基準シンボル情報との間のマッピング関係を含み、
基地局により、予め設定された基準シンボルのマッピング関係と、データを送信するために用いられる目標伝送モード及び目標基準シンボル情報とに基づいて目標パラメータを決定する段階は、基地局により、目標伝送モードに基づいて目標伝送モードインジケーションを決定する段階と、基地局により、目標伝送モードに基づいて、第１のマッピングテーブル及び第２のマッピングテーブルの中から目標マッピングテーブルを決定し、目標マッピングテーブルにおいて、目標基準シンボル情報に対応する目標基準シンボルインジケーションを決定する段階であって、目標マッピングテーブルは、第１のマッピングテーブル及び第２のマッピングテーブルのうちの一方である、段階とを含む。
【００２２】
第２の態様の第１の可能な実施例に関して、第２の態様の第２の可能な実施例では、基地局により、ユーザ機器に目標パラメータを送信する段階は、基地局により、ダウンリンク制御チャネルＰＤＣＣＨを通じてユーザ機器に目標パラメータを送信する段階であって、ＰＤＣＣＨ内の第１のフィールドは、目標伝送モードインジケーションを示すために用いられ、ＰＤＣＣＨ内の第２のフィールドは、目標基準シンボルインジケーションを示すために用いられる、段階を含む。
【００２３】
第２の態様の第１の可能な実施例に関して、第２の態様の第３の可能な実施例では、基地局により、ユーザ機器に目標パラメータを送信する段階は、基地局により、無線リソース制御ＲＲＣシグナリングを用いることにより、ユーザ機器に目標伝送モードインジケーションを送信し、ＰＤＣＣＨを通じてユーザ機器に目標基準シンボルインジケーションを送信する段階を含む。
【００２４】
第２の態様に関して、第２の態様の第４の可能な実施例では、目標パラメータは、目標基準シンボルインジケーションを含み、予め設定された基準シンボルのマッピング関係は、第３のマッピングテーブルを含み、第３のマッピングテーブルは、開ループ伝送モードにおける基準シンボルインジケーションと基準シンボル情報との間のマッピング関係、及び、閉ループ伝送モードにおける基準シンボルインジケーションと基準シンボル情報との間のマッピング関係を含み、
基地局により、予め設定された基準シンボルのマッピング関係と、データを送信するために用いられる目標伝送モード及び目標基準シンボル情報とに基づいて目標パラメータを決定する段階は、ユーザ機器により、目標伝送モード及び目標基準シンボル情報に基づいて、第３のマッピングテーブルにおいて、目標基準シンボルインジケーションを決定する段階を含む。
【００２５】
第２の態様の第４の可能な実施例に関して、第２の態様の第５の可能な実施例では、基準シンボルは、ＬＴＥシステムにおける復調基準信号ＤＭＲＳであり、基準シンボルインジケーションは、ＤＭＲＳインジケーションであり、基準シンボル情報は、ＤＭＲＳメッセージであり、ＤＭＲＳメッセージは、スクランブリングコードＮｓｃｉｄを含み、スクランブリングコードＮｓｃｉｄの様々な値は、ＤＭＲＳインジケーションに対応する様々な伝送モードを示すために用いられ、開ループ伝送モードにおけるＤＭＲＳインジケーションに対応するＤＭＲＳメッセージにおいて、Ｎｓｃｉｄ＝１である。
【００２６】
第２の態様の任意の可能な実施例に関して、第２の態様の第６の可能な実施例では、基準シンボル情報は、直交カバーコードＯＣＣを含み、開ループ伝送モードにおける基準シンボル情報内の直交カバーコードの長さは、２より小さい又は２に等しい。
【００２７】
第２の態様の任意の可能な実施例に関して、第２の態様の第７の可能な実施例では、基準シンボル情報は、データのトランスポート層の数を含み、開ループ伝送モードにおける基準シンボル情報内のデータのトランスポート層の数は、４より小さい又は４に等しい。
【００２８】
第２の態様の第４又は第５の可能な実施例に関して、第２の態様の第８の可能な実施例では、基地局により、ユーザ機器に目標パラメータを送信する段階は、基地局により、ＰＤＣＣＨを通じてユーザ機器に目標基準シンボルインジケーションを送信する段階を含む。
【００２９】
本発明の実施形態は、ユーザ機器を提供し、具体的な実施例は、第１の態様において提供される基準シンボルインジケーション方法の機能に対応する。機能は、ハードウェアを用いることにより実装されてよい、又は、ハードウェアにより対応するソフトウェアプログラムを実行することにより実装されてよい。ハードウェア及びソフトウェアは、前述の機能に対応する１又は複数のユニットモジュールを含み、ユニットモジュールは、ソフトウェア及び／又はハードウェアであってよい。
【００３０】
第３の態様によれば、可能な設計において、本発明の実施形態のユーザ機器は、
基地局により送信された目標パラメータを受信するように構成される受信ユニットであって、目標パラメータは、目標基準シンボルインジケーションを含む、受信ユニットと、
目標パラメータ及び予め設定された基準シンボルのマッピング関係に基づいて、目標伝送モード及び目標基準シンボル情報を決定するように構成される基準シンボル情報決定ユニットであって、予め設定された基準シンボルのマッピング関係は、基準シンボルインジケーションと、基準シンボル情報と、伝送モードとの間のマッピング関係を含み、伝送モードは、データを送信するために基地局により用いられる伝送モードであり、開ループ伝送モード及び閉ループ伝送モードを含む、基準シンボル情報決定ユニットと、
目標基準シンボル情報に基づいて目標基準シンボルを生成するように構成される基準シンボル生成ユニットと、
目標基準シンボル及び目標伝送モードに基づいてデータを復調するように構成されるデータ復調ユニットと
を含む。
【００３１】
第４の態様によれば、可能な設計において、本発明の実施形態のユーザ機器は、
互いに接続されるトランシーバと、プロセッサと、メモリとを含み、
メモリは、プログラムコードを格納するように構成され、プロセッサは、メモリ内のプログラムコードを呼び出して、
トランシーバを用いることにより、基地局により送信された目標パラメータを受信する手順であって、目標パラメータは、目標基準シンボルインジケーションを含む、手順と、メモリ内の予め設定された基準シンボルのマッピング関係及び目標パラメータに基づいて、目標伝送モード及び目標基準シンボル情報を決定する手順と、目標基準シンボル情報に基づいて目標基準シンボルを生成する手順と、目標基準シンボル及び目標伝送モードに基づいてデータを復調する手順とを実行し、
予め設定された基準シンボルのマッピング関係は、基準シンボルインジケーションと、基準シンボル情報と、伝送モードとの間のマッピング関係を含み、伝送モードは、データを送信するために基地局により用いられる伝送モードであり、開ループ伝送モード及び閉ループ伝送モードを含む。
【００３２】
本発明の実施形態は、基地局を提供し、具体的な実施例は、第２の態様において提供される基準シンボルインジケーション方法の機能に対応する。機能は、ハードウェアを用いることにより実装されてよい、又は、ハードウェアにより対応するソフトウェアプログラムを実行することにより実装されてよい。ハードウェア及びソフトウェアは、前述の機能に対応する１又は複数のユニットモジュールを含み、ユニットモジュールは、ソフトウェア及び／又はハードウェアであってよい。
【００３３】
第５の態様によれば、可能な設計において、本発明の実施形態の基地局は、
ユーザ機器にデータを送信するように構成される送信ユニットを含み、
送信ユニットは、ユーザ機器に目標パラメータを送信するようにさらに構成され、目標パラメータは、データを送信するために基地局により用いられる目標伝送モード及び目標基準シンボル情報を決定し、目標基準シンボル情報に基づいて目標基準シンボルを生成し、目標基準シンボル目標伝送モードに基づいてデータを復調するようユーザ機器に指示するために用いられる。
【００３４】
第６の態様によれば、可能な設計において、本発明の実施形態の基地局は、
互いに接続されるトランシーバと、プロセッサと、メモリとを含み、
メモリは、プログラムコードを格納するように構成され、プロセッサは、メモリ内のプログラムコードを呼び出して、
予め設定された基準シンボルのマッピング関係と、データを送信するために用いられる目標伝送モード及び目標基準シンボル情報とに基づいて目標パラメータを決定する手順と、トランシーバを用いることにより、ユーザ機器に目標パラメータを送信する手順とを実行し、
予め設定された基準シンボルのマッピング関係は、基準シンボルインジケーションと、基準シンボル情報と、伝送モードとの間のマッピング関係を含み伝送モードは、開ループ伝送モード及び閉ループ伝送モードを含み、目標パラメータは、データを送信するために基地局により用いられる目標伝送モード及び目標基準シンボル情報を決定し、目標基準シンボル情報に基づいて目標基準シンボルを生成し、目標基準シンボル及び目標伝送モードに基づいてデータを復調するようユーザ機器に指示するために用いられる。
【００３５】
第７の態様によれば、本発明の実施形態は、基準シンボルインジケーションシステムをさらに提供し、システムは、第４の態様で説明されたユーザ機器と、第６の態様で説明された基地局とを含む。
【００３６】
本発明の実施形態における解決手段が、以下の有利な効果を有することが、前述の技術的解決手段から認識できる。
【００３７】
本発明の実施形態において、ＬＴＥシステムでは、基準シンボルはＤＭＲＳであり、基地局により送信された目標パラメータはＤＭＲＳインジケーションを含み、ユーザ機器は、予め設定されたＤＭＲＳマッピング関係を有し、ＤＭＲＳインジケーションに対応する伝送モードが開ループ伝送モード又は閉ループ伝送モードであることを目標パラメータに基づいて決定し、ＤＭＲＳインジケーションに対応するＤＭＲＳメッセージを決定し、ＤＭＲＳメッセージに基づいてＤＭＲＳを生成し、決定した伝送モードに基づいてデータを復調してよい。このようにして、ＤＭＲＳベースの開ループ伝送のためのＤＭＲＳポートインジケーション方法が提供され得る。
【図面の簡単な説明】
【００３８】
【図１】本発明の実施形態に係るＭＩＭＯ通信システムの模式図である。
【００３９】
【図２】本発明の実施形態に係るダウンリンク物理チャネル処理プロセスの模式図である。
【００４０】
【図３】本発明の実施形態に係る開ループ又は準開ループ帯域幅割り当ての模式図である。
【００４１】
【図４】本発明の実施形態に係る基地局と端末との間で実行される基準シンボルインジケーションの信号インタラクションについての模式図である。
【００４２】
【図５】本発明の実施形態に係るユーザ機器についての機能モジュールの模式的構造図である。
【００４３】
【図６】本発明の実施形態に係る基地局についての機能モジュールの模式的構造図である。
【００４４】
【図７】本発明の実施形態に係る基準シンボルインジケーションシステム、ユーザ機器及び基地局についてのハードウェアの模式的構造図である。
【発明を実施するための形態】
【００４５】
以下では、本発明の実施形態における添付図面を参照して、本発明の実施形態における技術的解決手段を明確かつ十分に説明する。説明される実施形態は、単に本発明の実施形態の一部に過ぎず、そのすべてではないことは明らかである。創造的な努力なく、本発明の実施形態に基づいて当業者により得られるすべての他の実施形態は、本発明の保護範囲に含まれるものとする。
【００４６】
本発明の実施形態における技術的解決手段は、様々な無線通信システム、例えば、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク及びシングルキャリアＦＤＭＡ（ＳＣ−ＦＤＭＡ）ネットワークに適用され得る。「ネットワーク」及び「システム」という用語は、しばしば区別なく用いられる。ＣＤＭＡネットワークは、無線技術、例えば、ユニバーサル地上無線アクセス（ＵＴＲＡ）及びＣＤＭＡ２０００を実装してよい。ＵＴＲＡは、広帯域ＣＤＭＡ（Ｗ−ＣＤＭＡ）及び他のＣＤＭＡ変形を含む。ＣＤＭＡ２０００は、ＩＳ−２０００、ＩＳ−９５及びＩＳ−８５６規格をカバーする。ＴＤＭＡネットワークは、無線技術、例えば、グローバルシステムフォーモバイルコミュニケーションズ（ＧＳＭ（登録商標））を実装してよい。ＯＦＤＭＡネットワークは、無線技術、例えば、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０及びフラッシュＯＦＤＭを実装してよい。ＵＴＲＡ及びＥ−ＵＴＲＡは、ユニバーサル移動体通信システム（ＵＭＴＳ）の一部である。３ＧＰＰロングタームエボリューション（ＬＴＥ）及びＬＴＥアドバンスド（ＬＴＥ−Ａ）は、Ｅ−ＵＴＲＡを用いるＵＭＴＳの新しいリリースである。ＵＴＲＡ、Ｅ−ＵＴＲＡ、ＵＭＴＳ、ＬＴＥ、ＬＴＥ−Ａ及びＧＳＭ（登録商標）は、「第３世代パートナーシッププロジェクト」（３ＧＰＰ）という名称の組織の文書において説明されている。ＣＤＭＡ２０００及びＵＭＢは、「第３世代パートナーシッププロジェクト２」（３ＧＰＰ２）という名称の組織の文書に説明されている。本明細書で説明される技術は、無線ネットワーク及び上述の無線技術、並びに、他の無線ネットワーク及び無線技術に適用されてよい。明確にするために、ＬＴＥについて技術の特定の態様が以下で説明され、以下の説明の大半において、ＬＴＥの専門用語が用いられる。
【００４７】
本発明の実施形態では、ＬＴＥ又は５Ｇに適用されるダウンリンクＭＩＭＯ技術を背景として用いることにより、解決手段が詳細に説明される。
【００４８】
本発明で用いられるユーザ機器は、無線通信機能、車載デバイス、ウェアラブルデバイス、コンピューティングデバイス、又は、無線モデムに接続される別の処理デバイス、及び、ユーザ機器（Ｕｓｅｒ  Ｅｑｕｉｐｍｅｎｔ、略してＵＥ）、移動局（Ｍｏｂｉｌｅ  ｓｔａｔｉｏｎ、略してＭＳ）、端末（ｔｅｒｍｉｎａｌ）、様々な形式の端末機器（Ｔｅｒｍｉｎａｌ  Ｅｑｕｉｐｍｅｎｔ）などを有するハンドヘルドデバイスを含んでよい。
【００４９】
図１は、ＭＩＭＯベースの無線通信システムを示す。無線通信システムは、基地局（ＬＴＥにおける進化型ノードＢ、すなわち、ｅＮＢと称される）及びユーザ機器を含む。
【００５０】
基地局は送信機１００を含み、基地局は情報信号を送信機１００に入力する。送信機１００は、送信機１００の動作全体を制御するコントローラ１１０及び伝送信号プロセッサ１２０を含む。伝送信号プロセッサ１２０は、エラーコーディングを実行し、入力ビットを変調シンボルにマッピングし、伝送対象の信号を送信アンテナ１３０ごとに生成する。周波数のアップコンバージョン、フィルタリング及び増幅を実行した後に、送信機１００は、対応する送信アンテナ１３０から通信チャネル１６を通じてユーザ機器に伝送対象の信号を伝送する。
【００５１】
ユーザ機器の受信機２００は、各アンテナ２３０において受信した信号を復調及びデコードする。受信機２００は、受信機２００の動作を制御するコントローラ２１０及び受信信号プロセッサ２２０を含む。受信信号プロセッサ２２０は、基地局１２から伝送された信号を復調及びデコードする。
【００５２】
ＬＴＥシステムにおいて、基地局及びユーザ機器の両方が複数のアンテナを有する場合、空間多重化が用いられ得る。
【００５３】
図２は、ＭＩＭＯベースのダウンリンク信号処理プロセスの模式図である。
【００５４】
基地局は、上位層からのデータに対してチャネル符号化を実行してコードワードを形成し、様々なコードワードを復調して変調シンボルを生成し、次に、様々なコードワードの変調信号を一緒に組み合わせることによりレイヤマッピングを実行し、レイヤマッピングの後に得られたデータをプリコーディングし、次に、様々なアンテナポートに対してデータをマッピングし、各アンテナポートに対してリソースマッピングを実行し、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルを生成して、シンボルを伝送する。
【００５５】
ダウンリンクＭＩＭＯ伝送は、開ループ伝送モード及び閉ループ伝送モードを含んでよい。従来技術には、ＤＭＲＳベースの閉ループ伝送モードはあるが、ＤＭＲＳベースの開ループ伝送モードはない。ＤＭＲＳベースの開ループ伝送モードは、Ｒ１４（リリース１４）に導入され、具体的には、ＤＭＲＳベースの開ループ伝送モード及びＤＭＲＳベースの準開ループ伝送モードを含む。
【００５６】
ＤＭＲＳベースの閉ループ伝送モードでは、ＵＥは、チャネルプリコーディング行列指標（Ｐｒｅｃｏｄｉｎｇ  Ｍａｔｒｉｘ  Ｉｎｄｉｃａｔｉｏｎ、ＰＭＩ）情報をフィードバックする必要があり、基地局は、ＰＭＩに基づいてデータに対する伝送モードを決定する。ＤＭＲＳベースの開ループ伝送モードは、ＵＥが、ＰＭＩ情報を基地局にフィードバックする必要はなく、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を送信するときに、基地局が、すべてのコードブックに対応するプリコーディングベクトル又は行列を用いる、又は、基地局により指定されたプリコーディングベクトル又は行列のグループを用いることを指す。ＤＭＲＳベースの準開ループ伝送モードは、ＵＥが、ＰＭＩの一部を基地局にフィードバックする必要があり、ＰＭＩの一部は、基地局がプリコーディングベクトル又は行列のグループを指定するのに役立てるために用いられ、基地局は、ＰＭＩに基づいてデータに対する伝送モードを決定することを指す。
【００５７】
開ループ又は準開ループでのユーザ帯域幅割り当ての模式図が図３に示される。
【００５８】
例えば、ランクランク＝Ｒである場合、基地局は、プリコーディング行列グループを指定し、プリコーディング行列グループは、Ｎ個のプリコーディング行列、すなわち、｛ｗ０，ｗ１，・・・，ｗＮ−１｝を含む。基地局は、ＰＤＳＣＨチャネルをＵＥに伝送する。ＵＥに割り当てられる帯域幅において、Ｎ個のプリコーディング行列が、ルール、例えば、
第１サブキャリア：ｄ０＝ｗ０ｓ０
第２サブキャリア：ｄ１＝ｗ１ｓ１
・・・
第Ｍサブキャリア：ｄＭ−１＝ｗ（Ｍ−１）ｍｏｄＮｓ（Ｍ−１）ｍｏｄＮ
に基づいて順番に用いられ、ｄｍ−１は、第Ｍサブキャリア上で基地局により送信されるデータ信号であり、ｄｍ−１の次元は、Ｎｔ×１であり、Ｎｔは、基地局側の送信アンテナポートの数であり、ｗｍ−１の次元は、Ｎｔ×Ｒであり、ｓｍ−１の次元は、Ｒ×１であり、各サブキャリア上で送信されるデータシンボルのＲ個の層を表す。
【００５９】
ＤＭＲＳベースの伝送モードにおいて、基地局は、レイヤマッピングを行った後に取得されるデータを、プリコーディング行列を用いることによりマッピングして、当該データを伝送する。さらに、ユーザ機器がデータを復調できるように、データチャネルを復調するために用いられるＤＭＲＳのポート番号がユーザ機器に示される必要がある。
【００６０】
Ｒ１３、前のダウンリンク伝送モード９（Ｔｒａｎｓｍｉｓｓｉｏｎ  Ｍｏｄｅ  ９、略してＴＭ９）及びダウンリンク伝送モード１０（Ｔｒａｎｓｍｉｓｓｉｏｎ  Ｍｏｄｅ  １０、略してＴＭ１０）では、基地局は、ダウンリンク制御チャネルＰＤＣＣＨを通じてユーザ機器に対して、データチャネルを復調するために用いられるＤＭＲＳのポート番号を示す必要がある。
【００６１】
Ｒ１３（リリース１３）より前のプロトコルでは、ＤＭＲＳのポート番号を示すために、ＰＤＣＣＨ内のダウンリンク制御信号（Ｄｏｗｎｌｉｎｋ  Ｃｏｎｔｒｏｌ  Ｉｎｆｏｒｍａｔｉｏｎ、ＤＣＩ）において３ビットがあり、ＤＭＲＳポートマッピングテーブルが表１に示される。３ビットの値は、様々なＤＭＲＳメッセージ（Ｍｅｓｓａｇｅ）を示すためにそれぞれ用いられるＤＭＲＳインジケーション値（Ｖａｌｕｅ）である。表１の左側部分は、１つのコードワード（Ｏｎｅ  Ｃｏｄｅｗｏｒｄ）がある場合の、様々なＤＭＲＳインジケーション値（Ｖａｌｕｅ）に対応するＤＭＲＳメッセージ（Ｍｅｓｓａｇｅ）を示す。表１の右側部分は、２つのコードワード（Ｔｗｏ  Ｃｏｄｅｗｏｒｄｓ）がある場合の、様々なＤＭＲＳインジケーション値（Ｖａｌｕｅ）に対応するＤＭＲＳメッセージ（Ｍｅｓｓａｇｅ）を示す。ＤＭＲＳメッセージは、情報、例えば、ＤＭＲＳポート（Ｐｏｒｔ）番号、データマッピング層（ｌａｙｅｒ）の数、及び、スクランブリングコードＩＤ（Ｓｃｒａｍｂｌｉｎｇ‐ｃｏｄｅ  ｉｄｅｎｔｉｆｉｃａｔｉｏｎ、Ｎｓｃｉｄ）の組み合わせを含む。
【表１】
2019531015.tif 000003
【００６２】
表１に示されるように、基地局が、２つのコードワード（Ｔｗｏ  Ｃｏｄｅｗｏｒｄｓ）をユーザ機器に割り振るときに、ＤＭＲＳインジケーション値（Ｖａｌｕｅ）が２である場合、データシンボルが、伝送されるために３層に分割され、かつ、データを復調するために用いられるＤＭＲＳがポート番号７から９を占有することを示す。
【００６３】
Ｒ１３のプロトコルにおいて、ＤＭＲＳのポート番号を示すためにＤＣＩ内に４ビットがあり、１つのコードワードの場合及び２つのコードワードの場合に、ＤＭＲＳインジケーション値０から１５によりそれぞれ表されるＤＭＲＳメッセージについて合意するために、ＤＭＲＳポートマッピングテーブルが表２に示される。
【表２】
2019531015.tif 000004
【００６４】
ＤＭＲＳベースの開ループ又は準開ループ伝送モード（通常、ＤＭＲＳベースの開ループ伝送モードと称される）は、ＬＴＥにおけるリリース１４（Ｒｅｌｅａｓｅ  １４、Ｒ１４）に導入されている。したがって、伝送技術において、ダウンリンクデータが処理される方式は、閉ループ伝送モードとは異なる。例えば、閉ループ伝送モードでは、同じプリコーディングベクトル／行列を用いることにより、少なくとも１つのリソースブロック（Ｒｅｓｏｕｒｃｅ  Ｂｌｏｃｋ、略してＲＢ）内のデータに対して、重み付けが実行される。しかしながら、開ループ伝送モードでは、異なるプリコーディングベクトル／ベクトルを用いることにより、ＲＢ内の異なるサブキャリアに対して、重み付けが実行され得る。さらに、ＤＭＲＳベースの開ループ伝送モードでは、データのトランスポート層の数が、必ずしもＤＭＲＳポートの数と同じではない可能な伝送解決手段がある。例えば、データのトランスポート層の数が１である場合、ＤＭＲＳポートの数は２である。これは、ＤＭＲＳベースの開ループ伝送モードが閉ループ伝送解決手段とは異なる場合である。したがって、ユーザが受信したデータを復調する場合、ユーザは、まず、データを復調するために必要とされるＤＭＲＳポート情報と、データを配信するために基地局により用いられる伝送モード、すなわち、開ループ伝送モード又は閉ループ伝送モードとを認識する必要がある。したがって、情報、例えば、ＤＭＲＳポート情報を示すための方法のセットが、再設計される必要がある。
【００６５】
以下では、本発明の実施形態における閉ループ伝送モード及び開ループ伝送モードにおいて、基地局が基準シンボルをユーザ機器に示す方法を説明する。様々な無線通信システムが様々な基準シンボルを有し、ＬＴＥにおける基準シンボルが復調基準信号ＤＭＲＳであることに留意されたい。
【００６６】
基準シンボルインジケーション方法における、基地局とユーザ機器との間での情報交換についての図が図４に示される。
【００６７】
４０１．基地局は、ユーザ機器にデータを送信する。
【００６８】
具体的には、基地局は、ダウンリンクユーザデータのダウンリンクチャネルＰＤＳＣＨを通じてユーザ機器にデータを送信する。
【００６９】
４０２．基地局は、予め設定された基準シンボルのマッピング関係と、データを送信するために用いられる目標伝送モード及び目標基準シンボル情報とに基づいて目標パラメータを決定する。
【００７０】
ユーザ機器がデータを復調することができるように、基地局は、データを送信する場合、ダウンリンクデータに対して用いられる伝送モード（目標伝送モード）、及び、データを送信するために用いられる基準シンボル情報（目標基準シンボル情報）をユーザ機器に通知する必要がある。本発明の本実施形態において、基地局は、ユーザ機器に目標パラメータを送信することにより、データを送信するために基地局により用いられる目標伝送モード及び目標基準シンボル情報をユーザ機器に通知することで、インジケーション情報を伝送するために用いられるビット数を減らす。
【００７１】
基地局及びユーザ機器の両方が予め設定された基準シンボルのマッピング関係を有する。予め設定された基準シンボルのマッピング関係は、基準シンボルインジケーション（ＬＴＥにおけるＤＭＲＳインジケーション値）と、基準シンボル情報（ＬＴＥにおけるＤＭＲＳメッセージ）と、伝送モードとの間のマッピング関係を含む。伝送モードは、開ループ伝送モード及び閉ループ伝送モードを含む。
【００７２】
基地局は、予め設定された基準シンボルのマッピング関係と、データを送信するために用いられる目標伝送モード及び目標基準シンボル情報とに基づいて目標パラメータを決定する。
【００７３】
任意選択的に、ユーザ機器及び基地局の予め設定された基準シンボルのマッピング関係は、１又は複数のマッピングテーブルの形式で格納されてよい、又は、システム内の別のネットワークエレメントから取得されてよい。
【００７４】
４０３．基地局は、ユーザ機器に目標パラメータを送信し、ユーザ機器は、基地局により送信された目標パラメータを受信する。
【００７５】
具体的には、目標パラメータは、目標基準シンボルインジケーションを含み、目標基準シンボルインジケーションは、ＬＴＥにおけるＤＭＲＳインジケーション（すなわち、ＤＭＲＳインジケーション値）である。
【００７６】
４０４．ユーザ機器は、目標パラメータ及び予め設定された基準シンボルのマッピング関係に基づいて、目標伝送モード及び目標基準シンボル情報を決定する。
【００７７】
ユーザ機器は、端末の目標パラメータ及び予め設定された基準シンボルのマッピング関係に基づいて、目標パラメータ内の目標基準シンボルインジケーションに対応する目標伝送モード及び目標基準シンボル情報を決定する。目標伝送モードは、開ループ伝送モード又は閉ループ伝送モードのうちの一方である。
【００７８】
４０５．ユーザ機器は、目標基準シンボル情報に基づいて目標基準シンボルを生成する。
【００７９】
目標基準シンボル情報を取得した後に、ユーザ機器は、目標基準シンボル情報に基づいて目標基準シンボルを生成する。ＬＴＥにおいて、ＤＭＲＳは、ＤＭＲＳメッセージに基づいて生成される。
【００８０】
４０６．ユーザ機器は、目標基準シンボル及び目標伝送モードに基づいてデータを復調する。
【００８１】
目標基準シンボルを生成した後に、ユーザ機器は、目標基準シンボル及び目標伝送モードに基づいてデータを復調する。具体的には、ＬＴＥにおけるチャネル推定は、ＤＭＲＳに基づいて実行され、データは伝送モードに基づいて復調される。
【００８２】
本発明の本実施形態において、基地局及びユーザ機器の両方は、予め設定された基準シンボルのマッピング関係を有し、データを送信するために用いられる伝送モード及び基準シンボル情報は、目標パラメータを用いることにより、基地局とユーザ機器との間に示され、その結果、ユーザ機器はデータを復調できる。ＬＴＥシステムにおいて、基準シンボルはＤＭＲＳである。本発明の本実施形態は、基地局とユーザ機器との間のＤＭＲＳベースの開ループ及び閉ループ伝送のためのＤＭＲＳポートインジケーション方法を提供し得る。
【００８３】
例として、ＬＴＥにおける基準シンボル−−復調基準信号ＤＭＲＳを用いることにより、解決手段が以下で詳細に説明される。
【００８４】
具体的には、基地局及びユーザ機器の予め設定された基準シンボルのマッピング関係は、２つの表現形式においてＤＭＲＳテーブルの形式で存在し得る。
【００８５】
第１の表現形式では、ユーザ機器及び基地局の両方が２つのＤＭＲＳテーブルを有し、２つのＤＭＲＳテーブルは、開ループ伝送解決手段におけるＤＭＲＳメッセージ及び閉ループ伝送解決手段におけるＤＭＲＳメッセージにそれぞれ対応する。
【００８６】
予め設定された基準シンボルのマッピング関係は、第１のマッピングテーブル及び第２のマッピングテーブルを含み、第１のマッピングテーブルは、開ループ伝送モードにおける基準シンボルインジケーションと基準シンボル情報との間のマッピング関係を含み、第２のマッピングテーブルは、閉ループ伝送モードにおける基準シンボルインジケーションと基準シンボル情報との間のマッピング関係を含む。
【００８７】
すなわち、第１のマッピングテーブルは開ループＤＭＲＳテーブルであり、第２のマッピングテーブルは閉ループＤＭＲＳテーブルである。開ループＤＭＲＳテーブルは、開ループ伝送モードにおけるＤＭＲＳインジケーション値とＤＭＲＳメッセージとの間のマッピング関係を含み、閉ループＤＭＲＳテーブルは、閉ループ伝送モードにおけるＤＭＲＳインジケーション値とＤＭＲＳメッセージとの間のマッピング関係を含む。
【００８８】
閉ループＤＭＲＳテーブルは、Ｒ１３プロトコルより前のプロトコルにおける閉ループＤＭＲＳポートマッピングテーブル（表１を参照されたい）であってよい、又は、Ｒ１３プロトコルにおける閉ループＤＭＲＳポートマッピングテーブル（表２を参照されたい）であってもよい。
【００８９】
開ループＤＭＲＳテーブルの内容は表３に示される。
【表３】
2019531015.tif 000005
【００９０】
開ループＤＭＲＳテーブルにおける、ＤＭＲＳインジケーション値（Ｖａｌｕｅ）により示されるＤＭＲＳメッセージ（Ｍｅｓｓａｇｅ）には、ＯＣＣ＝４がサポートされておらず、ＯＣＣは、２より小さい又は２に等しくなければならず、データのトランスポート層（ｌａｙｅｒ）の数は、４より小さい又は４に等しい。これは、一方では、端末が高速で移動する場合、ＯＣＣ＝４だと性能が非常に悪く、かつ、高次元ＭＩＭＯをサポートすることが非常に困難であるからである。他方では、ＯＣＣ及びデータの層の数を限定することにより、ＤＭＲＳポート情報を示すために用いられるビット数を減らすことができるからである。
【００９１】
このように、基地局は、データを送信するために用いられる伝送モードに基づいて使用対象のＤＭＲＳテーブルを決定し、そして、データを送信するために用いられるＤＭＲＳメッセージに基づいて、ＤＭＲＳインジケーション値（ＤＭＲＳインジケーション）を決定し、データを送信するために用いられる伝送モードに基づいて、ユーザ機器に送信される伝送モードインジケーションを決定する。
【００９２】
したがって、ユーザ機器にＤＭＲＳインジケーションを送信する必要性に加えて、基地局は、データ伝送モードを示すために、すなわち、使用対象のＤＭＲＳテーブルを示すために、ユーザ機器に目標伝送モードインジケーションをさらに送信する必要がある。したがって、ユーザ機器に基地局により送信される目標パラメータは、ＤＭＲＳインジケーションを含むだけでなく、目標伝送モードインジケーションも含む。
【００９３】
基地局は、２つの方式でユーザ機器に目標パラメータを送信する。
【００９４】
第１の方式では、ユーザ機器は、無線リソース制御（Ｒａｄｉｏ  Ｒｅｓｏｕｒｃｅ  Ｃｏｎｔｒｏｌ、略してＲＲＣ）シグナリングを用いることにより、データを配信するために基地局により用いられる伝送モードを通知し、ＤＭＲＳインジケーション値がＰＤＣＣＨを通じてユーザ機器に送信される。
【００９５】
第２の方式では、ユーザ機器は、ＰＤＣＣＨ内の（１ビットであり得る）第１のフィールドを用いることにより、現在のサブフレームのダウンリンクデータに用いられる伝送モードを通知し、ＰＤＣＣＨ内の（３ビットであり得る）第２のフィールドを用いることにより、ＤＭＲＳインジケーション値がユーザ機器に送信される。
【００９６】
第１の通知方式と比較すると、ダウンリンクデータに用いられる伝送モードを基地局が動的に調整し得る第２のＰＤＣＣＨ通知方式の方がより柔軟である。
【００９７】
目標伝送モードインジケーション及びＤＭＲＳインジケーションを受信した後に、ユーザ機器は、目標伝送モードインジケーションに基づいて、基地局のダウンリンクデータに用いられる特定の伝送モード（開ループ伝送モード又は閉ループ伝送モード）を決定し、伝送モードが開ループ伝送モードである場合、ＤＭＲＳインジケーションに対応するＤＭＲＳメッセージは、開ループＤＭＲＳテーブルから決定される、又は、伝送モードが閉ループ伝送モードである場合、ＤＭＲＳインジケーションに対応するＤＭＲＳメッセージは、閉ループＤＭＲＳテーブルから決定される。
【００９８】
ユーザ機器は、ＤＭＲＳメッセージに基づいてＤＭＲＳを生成し、ＤＭＲＳと、基地局のダウンリンクデータに用いられる伝送モードとに基づいてデータを復調する。
【００９９】
ユーザ機器及び基地局に存在するＤＭＲＳテーブルの別の形式は、以下のとおりである。
【０１００】
第２の表現形式では、ユーザ機器及び基地局の両方がＤＭＲＳテーブルを有し、ＤＭＲＳテーブル内の様々なＤＭＲＳインジケーション値（Ｖａｌｕｅ）が、ダウンリンクデータ用の様々なＤＭＲＳメッセージ及び様々な伝送モードに対応する。
【０１０１】
任意選択的に、実現可能な実施例は、Ｒ１３より前又はＲ１３のプロトコルにおける閉ループＤＭＲＳポートマッピングテーブル及び本発明の本実施形態の開ループＤＭＲＳテーブル上でジョイントコーディングを実行して、１つのテーブルを取得する。
【０１０２】
例えば、ＤＭＲＳテーブルは、以下の表４に示されるように、Ｒ１３より前のプロトコルにおける閉ループＤＭＲＳポートマッピングテーブルの内容（表１を参照されたい）、及び、表３内の開ループＤＭＲＳテーブルの内容に対してジョイントコーディングを実行することにより得られるＤＭＲＳテーブルである。
【０１０３】
表４では、様々なＤＭＲＳインジケーション値（Ｖａｌｕｅ）が、様々な伝送モード及び様々なＤＭＲＳメッセージを示す。例えば、値０から７は、閉ループ伝送モードを表し、０から７に対応するメッセージは、閉ループ伝送モードにおけるＤＭＲＳメッセージであり、値８から１５は、開ループ伝送モードを表し、８から１５に対応するメッセージは、開ループ伝送モードにおけるＤＭＲＳメッセージである。
【表４】
2019531015.tif 000006
【０１０４】
代替的に、ＤＭＲＳテーブルは、以下の表５に示されるように、Ｒ１３で定義される閉ループＤＭＲＳポートマッピングテーブルの内容（表２を参照されたい）、及び、テーブル３内の開ループＤＭＲＳテーブルの内容に対してジョイントコーディングを実行するにより得られるＤＭＲＳテーブルである。
【０１０５】
表５では、様々なＤＭＲＳインジケーション値（Ｖａｌｕｅ）が、様々な伝送モード及び様々なＤＭＲＳメッセージを示す。例えば、値０から１５は、閉ループ伝送モードを表し、０から１５に対応するメッセージは、閉ループ伝送モードにおけるＤＭＲＳメッセージであり、値１６から３１は、開ループ伝送モードを表し、１６から３１に対応するメッセージは、開ループ伝送モードにおけるＤＭＲＳメッセージである。
【表５】
2019531015.tif 000007
【０１０６】
この１つのＤＭＲＳテーブルの形式において、基地局は、データを送信するために用いられる伝送モード、及び、データを送信するために用いられるＤＭＲＳメッセージに基づいてＤＭＲＳインジケーション値（ＤＭＲＳインジケーション）を決定する。
【０１０７】
この１つのＤＭＲＳテーブルの形式において、様々な伝送モードは、様々なＤＭＲＳインジケーション値（Ｖａｌｕｅ）を用いることにより示される。したがって、基地局は、基地局のダウンリンクデータに対して用いられる伝送モードをユーザ機器に通知する必要はない。このように、基地局は、ＰＤＣＣＨを通じてＤＭＲＳインジケーション値のみをユーザ機器に通知でき、端末は、値に基づいてダウンリンクに対して用いられるＤＭＲＳメッセージ及び伝送モードを取得してよい。例えば、表５が用いられ、基地局により配信されるＰＤＣＣＨチャネル内のＤＭＲＳインジケーション値が１６であり、かつ、１つのコードワード（ｃｏｄｅｗｏｒｄ）が伝送に対して用いられる場合、ユーザ機器は、ＤＭＲＳテーブルに基づいて、開ループ伝送モードが基地局のダウンリンクデータのＰＤＳＣＨチャネルに対して用いられ、かつ、ＤＭＲＳポート番号７及び８が用いられると決定してよい。
【０１０８】
ＤＭＲＳインジケーション値を受信した後に、ユーザ機器は、ＤＭＲＳインジケーション値に基づいて、基地局のダウンリンクデータに対して用いられる特定の伝送モード（開ループ伝送モード又は閉ループ伝送モード）を決定し、ＤＭＲＳテーブルにおける、ＤＭＲＳインジケーションに対応するＤＭＲＳメッセージを決定してよい。
【０１０９】
その結果、ユーザ機器は、ＤＭＲＳメッセージに基づいてＤＭＲＳを生成し、ＤＭＲＳと、基地局のダウンリンクデータに用いられる伝送モードとに基づいてデータを復調する。
【０１１０】
任意選択的に、ユーザ機器及び基地局の両方が予め設定されたＤＭＲＳテーブルを有する別の実現可能な実施例は、Ｒ１３より前又はＲ１３のプロトコルにおける閉ループＤＭＲＳポートマッピングテーブルに基づいて、ｎｓｃｉｄ＝１である場合、いくつかのＤＭＲＳインジケーションを再利用し、開ループ伝送モードにおけるＤＭＲＳメッセージとして、ｎｓｃｉｄ＝１である場合、ＤＭＲＳインジケーションに対応するＤＭＲＳメッセージを再度説明する。
【０１１１】
従来技術では、閉ループＤＭＲＳポートマッピングテーブルにおいてｎｓｃｉｄ＝１であることが、非直交ＤＭＲＳポートを導入するために用いられ、その結果、より多くのペアリングされるユーザが、マルチユーザＭＩＭＯ（Ｍｕｌｔｉｐｌｅ  Ｕｓｅｒ  ＭＩＭＯ、ＭＵ―ＭＩＭＯ）を実行する際にサポートされ得る。しかしながら、実際のシステムにおいて、ポート間の大きな干渉が非直交ＤＭＲＳポートにより生じることで、マルチユーザペアリングの低い性能の原因となる。ＤＭＲＳベースの開ループ伝送が高速移動シナリオに適用可能されるものと通常考えられる。この場合、非直交ＤＭＲＳポートはより低い性能を有する。したがって、本発明では、閉ループＤＭＲＳテーブルにおいてｎｓｃｉｄ＝１である場合、ＤＭＲＳインジケーション値のいくつかが再利用され、開ループ伝送モードにおけるＤＭＲＳメッセージは、ｎｓｃｉｄ＝１場合のＤＭＲＳインジケーション値に対応するメッセージを用いることにより搬送され、その結果、元のＤＭＲＳポートマッピングテーブルのサイズは変更されない。
【０１１２】
任意選択的に、開ループ伝送モードにおけるＤＭＲＳメッセージは、Ｒ１３より前又はＲ１３のプロトコルにおいて、既存の閉ループＤＭＲＳポートマッピングテーブル内の予約（Ｒｅｓｅｒｖｅｄ）ビットを用いることにより搬送され得る。
【０１１３】
例えば、ＬＴＥリリース１０で定義されたＤＭＲＳポートマッピングテーブルを拡張することにより、表６が得られる。Ｒ１０におけるＤＭＲＳポートマッピングテーブルにおいてｎｓｃｉｄ＝１であるときに１であるＤＭＲＳインジケーション値は、開ループ伝送モードとして再び説明され、Ｖａｌｕｅ＝１に対応するメッセージは、１層のデータの伝送を示すために用いられる開ループ伝送モードにおけるメッセージと置き換えられ、予約された部分（１つのコードワードにおけるＶａｌｕｅ＝７）は、２層のデータの伝送を示すために用いられる。
【表６】
2019531015.tif 000008
【０１１４】
代替的に、例えば、ＬＴＥリリース１３で定義されたＤＭＲＳポートマッピングテーブルを拡張することにより、表７が得られる。Ｒ１３におけるＤＭＲＳポートマッピングテーブルにおいてｎｓｃｉｄ＝１であるときに１であるＤＭＲＳインジケーション値は、開ループ伝送モードとして再び説明され、Ｖａｌｕｅ＝１に対応するメッセージは、１層のデータの伝送を示すために用いられる開ループ伝送モードにおけるメッセージと置き換えられ、予約された部分（１つのコードワードにおけるＶａｌｕｅ＝１５）は、２層のデータの伝送を示すために用いられる。
【表７】
2019531015.tif 000009
【０１１５】
ｎｓｃｉｄ＝１である場合に表６及び表７において選択される値及び予約値は、単なる例に過ぎず、ｎｓｃｉｄ＝１である場合に、別の値がさらに選択及び再利用され得ることに留意されたい。例えば、表７では、Ｖａｌｕｅ＝３がさらに選択及び再利用されてよく、別の予約（Ｒｅｓｅｒｖｅｄ）値が、さらに選択及び再利用されてよい。例えば、表７では、２つのコードワード内のＶａｌｕｅ＝１２、１３、１４又は１５が選択及び再利用されてよく、実際の状況、ｎｓｃｉｄ＝１である場合の値を選択及び再利用するか、又は、予約値が本発明の本実施形態において限定されていないかに基づいて、複数の値が選択及び再利用されてよい。
【０１１６】
したがって、このように、開ループ伝送モードにおけるＤＭＲＳメッセージは、ｎｓｃｉｄ＝１である場合のＤＭＲＳインジケーションを再利用することにより、又は、予約されたＤＭＲＳインジケーションを再利用することにより搬送されてよく、その結果、元のＤＭＲＳポートマッピングテーブルのサイズは変更されなくてよい。
【０１１７】
２つの表が１つのＤＭＲＳテーブルに統合される表４又は表５に示される方式の実施形態において、新たなＤＭＲＳテーブル（表４又は表５）は、開ループ伝送モードにおけるＤＭＲＳインジケーション値及びＤＭＲＳメッセージを元のテーブルに加えることにより得られるテーブルであり、その結果、テーブルの内容が増加し、より多くのビットが、インジケーションのために必要とされ、システムの多くが変更されてしまう。しかしながら、ｎｓｃｉｄ＝１である場合のいくつかのＤＭＲＳインジケーションが既存の閉ループＤＭＲＳポートマッピングテーブルに基づいて再利用される方式を用いることにより、ＤＭＲＳテーブルのサイズは変更されず、ＤＭＲＳインジケーション値を伝送するために用いられるビット数を減らすことができる。
【０１１８】
ユーザ機器及び基地局の両方が予め設定されたＤＭＲＳテーブルを有する表４、表５、表６及び表７に示される方式では、テーブル内の様々なＤＭＲＳインジケーション値（Ｖａｌｕｅ）が、ダウンリンクデータ用の様々なＤＭＲＳメッセージ及び様々な伝送モードに対応する。このように、ＤＭＲＳポート情報及びダウンリンク伝送モードは、ＰＤＣＣＨチャネルを通じて示され、伝送モードが単独で示される必要はない。
【０１１９】
同様に、開ループ伝送モードにおいてＤＭＲＳインジケーション値（Ｖａｌｕｅ）により示されるＤＭＲＳメッセージ（Ｍｅｓｓａｇｅ）において、ＯＣＣ＝４がサポートされておらず、ＯＣＣは、２より小さい又は２に等しくなければならず、データのトランスポート層（ｌａｙｅｒ）の数は、４より小さい又は４に等しい。これは、一方では、端末が高速で移動する場合、ＯＣＣ＝４だと性能が非常に悪く、かつ、高次元ＭＩＭＯをサポートすることが非常に困難であるからである。他方では、ＯＣＣ及びデータの層の数を限定することにより、ＤＭＲＳポート情報を示すために用いられるビット数を減らすことができるからである。
【０１２０】
前述では、本発明の実施形態における基準シンボルインジケーション方法を説明したが、以下では、本発明の実施形態におけるユーザ機器、基地局及びシステムを説明する。
【０１２１】
図５は、本発明の実施形態に係るユーザ機器の機能モジュールの構造図であり、機能モジュールは、具体的には、前述の方法の実施形態におけるユーザ機器の機能に対応する。機能は、ハードウェアを用いることにより実装されてよい、又は、ハードウェアにより対応するソフトウェアプログラムを実行することにより実装されてよい。ハードウェア及びソフトウェアは、前述の機能に対応する１又は複数のユニットモジュールを含み、ユニットモジュールは、ソフトウェア及び／又はハードウェアであってよい。
【０１２２】
ユーザ機器は、具体的には、
基地局により送信された目標パラメータを受信するように構成される受信ユニット５０１であって、目標パラメータは、目標基準シンボルインジケーションを含む、受信ユニット５０１と、
目標パラメータ及び予め設定された基準シンボルのマッピング関係に基づいて、目標伝送モード及び目標基準シンボル情報を決定するように構成される基準シンボル情報決定ユニット５０２であって、予め設定された基準シンボルのマッピング関係は、基準シンボルインジケーションと、基準シンボル情報と、伝送モードとの間のマッピング関係を含み、伝送モードは、データを送信するために基地局により用いられる伝送モードであり、開ループ伝送モード及び閉ループ伝送モードを含む、基準シンボル情報決定ユニット５０２と、
目標基準シンボル情報に基づいて目標基準シンボルを生成するように構成される基準シンボル生成ユニット５０３と、
目標基準シンボル及び目標伝送モードに基づいてデータを復調するように構成されるデータ復調ユニット５０４と
を含む。
【０１２３】
いくつかの具体的な実施例において、受信ユニット５０１により受信される目標パラメータは、目標伝送モードインジケーションをさらに含み、
予め設定された基準シンボルのマッピング関係は、第１のマッピングテーブル及び第２のマッピングテーブルを含み、第１のマッピングテーブルは、開ループ伝送モードにおける基準シンボルインジケーションと基準シンボル情報との間のマッピング関係を含み、第２のマッピングテーブルは、閉ループ伝送モードにおける基準シンボルインジケーションと基準シンボル情報との間のマッピング関係を含み、
基準シンボル情報決定ユニット５０２は、具体的には、目標伝送モードインジケーションに基づいて目標伝送モードを決定し、目標伝送モードに基づいて、第１のマッピングテーブル及び第２のマッピングテーブルの中から目標マッピングテーブルを決定し、目標マッピングテーブルにおいて、目標基準シンボルインジケーションに対応する目標基準シンボル情報を決定するように構成され、目標マッピングテーブルは、第１のマッピングテーブル及び第２のマッピングテーブルのうちの一方である。
【０１２４】
いくつかの具体的な実施例において、受信ユニット５０１は、具体的には、ダウンリンク制御チャネルＰＤＣＣＨを通じて基地局により送信される目標パラメータを受信するように構成され、ＰＤＣＣＨ内の第１のフィールドは、目標伝送モードインジケーションを示すために用いられ、ＰＤＣＣＨ内の第２のフィールドは、目標基準シンボルインジケーションを示すために用いられる。
【０１２５】
いくつかの具体的な実施例において、受信ユニット５０１が、具体的には、基地局により送信された目標パラメータを受信するように構成されることは、ユーザ機器により、無線リソース制御ＲＲＣシグナリングを用いることにより、基地局により送信された目標伝送モードインジケーションを受信すること、及び、ＰＤＣＣＨを通じて基地局により送信された目標基準シンボルインジケーションを受信することを含む。
【０１２６】
いくつかの具体的な実施例において、予め設定された基準シンボルのマッピング関係は、第３のマッピングテーブルを含み、第３のマッピングテーブルは、開ループ伝送モードにおける基準シンボルインジケーションと基準シンボル情報との間のマッピング関係、及び、閉ループ伝送モードにおける基準シンボルインジケーションと基準シンボル情報との間のマッピング関係を含む。基準シンボル情報決定ユニット５０２は、具体的には、目標基準シンボルインジケーションに基づいて、第３のマッピングテーブルにおいて、目標伝送モードを決定し、第３のマッピングテーブルにおいて、目標基準シンボルインジケーションに対応する目標基準シンボル情報を決定するように構成される。
【０１２７】
いくつかの具体的な実施例において、基準シンボルは、ＬＴＥシステムにおける復調基準信号ＤＭＲＳであり、基準シンボルインジケーションは、ＤＭＲＳインジケーションであり、基準シンボル情報は、ＤＭＲＳメッセージであり、ＤＭＲＳメッセージは、スクランブリングコードＮｓｃｉｄを含み、スクランブリングコードＮｓｃｉｄの様々な値は、ＤＭＲＳインジケーションに対応する様々な伝送モードを示すために用いられ、開ループ伝送モードにおけるＤＭＲＳインジケーションに対応するＤＭＲＳメッセージにおいて、Ｎｓｃｉｄ＝１である。
【０１２８】
いくつかの具体的な実施例において、基準シンボル情報は、直交カバーコードＯＣＣを含み、開ループ伝送モードにおける基準シンボル情報内の直交カバーコードの長さは、２より小さい又は２に等しい。
【０１２９】
いくつかの具体的な実施例において、基準シンボル情報は、データのトランスポート層の数を含み、開ループ伝送モードにおける基準シンボル情報内のデータのトランスポート層の数は、４より小さい又は４に等しい。
【０１３０】
さらに、本発明の実施形態における基地局は、具体的には、
ユーザ機器にデータを送信するように構成される送信ユニット６０１と、
基地局により、予め設定された基準シンボルのマッピング関係と、データを送信するために用いられる目標伝送モード及び目標基準シンボル情報とに基づいて目標パラメータを決定するように構成される目標パラメータ決定ユニット６０２であって、予め設定された基準シンボルのマッピング関係は、基準シンボルインジケーションと、基準シンボル情報と、伝送モードとの間のマッピング関係を含み、伝送モードは、開ループ伝送モード及び閉ループ伝送モードを含む、目標パラメータ決定ユニット６０２と
を含み、
送信ユニット６０１は、ユーザ機器に目標パラメータを送信するようにさらに構成され、目標パラメータは、データを送信するために基地局により用いられる目標伝送モード及び目標基準シンボル情報を決定し、目標基準シンボル情報に基づいて目標基準シンボルを生成し、目標基準シンボル及び目標伝送モードに基づいてデータを復調するようユーザ機器に指示するために用いられる。
【０１３１】
図５に示されるユーザ機器の機能モジュール間の情報交換、及び、図６に示される基地局の機能モジュール間の情報交換については、前述の方法の実施形態における説明を参照することとし、詳細が本明細書において再び説明されることはない。
【０１３２】
さらに、本発明は、基準シンボルインジケーションシステムをさらに含む。基準シンボルインジケーションシステムの構造については、図７に示される説明を参照されたい。本発明の実施形態におけるシステム内のユーザ機器及び基地局は、それぞれ、前述の方法の実施形態におけるユーザ機器の機能及び基地局の機能を有する。
【０１３３】
リンクを用いることにより、無線通信がユーザ機器と基地局との間で実行される。ユーザ機器は、バスを用いることにより接続される１又は複数のプロセッサ、１又は複数のメモリ及び１又は複数のトランシーバ（各トランシーバは、送信機Ｔｘ及び受信機Ｒｘを含む）を含む。１又は複数のトランシーバは、１又は複数のアンテナに接続される。１又は複数のメモリは、コンピュータプログラムコードを含み、プロセッサは、メモリ内の一連のコンピュータプログラムコード命令オペレーションを実行し、具体的には、前述の方法の実施形態におけるユーザ機器により実行される段階のすべて又は一部を実行する。
【０１３４】
基地局は、ユーザ機器からネットワークへの無線アクセスを提供し、バスを用いることにより接続される１又は複数のプロセッサ、１又は複数のメモリ、１又は複数のネットワークインタフェース及び１又は複数のトランシーバ（各トランシーバは、受信機Ｒｘ及び送信機Ｔｘを含む）を含む。１又は複数のトランシーバは、アンテナ又はアンテナアレイに接続される。１又は複数のプロセッサは、コンピュータプログラムコードを含む。ネットワークインタフェースは、リンク（例えば、ネットワークインタフェースとコアネットワークとの間のリンク）を用いることにより、コアネットワークに接続される、又は、有線又は無線リンクを用いることにより、別の基地局に接続される。プロセッサは、メモリ内の一連のコンピュータプログラムコード命令オペレーションを実行し、具体的には、前述の方法の実施形態における基地局により実行される段階のすべて又は一部を実行する。
【０１３５】
本発明の明細書、特許請求の範囲及び添付図面において、「第１」、「第２」、「第３」及び「第４」など（存在する場合）の用語は、同様の対象間を区別することを意図するものであるが、必ずしも特定の順序又はシーケンスを示すわけではない。本明細書で説明される本発明の実施形態が、本明細書に示され又は説明される順序以外の順序で実施され得るように、そのような方式で呼ばれるデータは、適切な状況において交換可能であることを理解されたい。さらに、「含む（ｉｎｃｌｕｄｅ）」、「包含する（ｃｏｎｔａｉｎ）」という用語及び任意の他の派生語は、非排他的な包含をカバーすることを意味し、例えば、段階又はユニットのリストを含む処理、方法、システム、製品又はデバイスは、これらの明示的に記載された段階又はユニットに必ずしも限定されるものではないが、そのような処理、方法、システム、製品又はデバイスに明示的に記載されていない又は本来備わっていない他の段階又はユニットを含んでもよい。
【０１３６】
簡易かつ簡潔な説明の目的のために、前述のシステム、装置及びユニットの詳細な作業プロセスについては、前述の方法の実施形態における対応する処理を参照し、詳細がそこで説明されることはないことは、当業者であれば明確に理解され得る。
【０１３７】
本願において提供されるいくつかの実施形態では、開示されるシステム、装置及び方法が、他の方式で実施され得ることを理解されたい。例えば、説明される装置の実施形態は、単なる例に過ぎない。例えば、ユニット区分は、単に論理的な機能区分に過ぎず、実際の実装例では他の区分であってもよい。例えば、複数のユニット又はコンポーネントが、組み合わせられ若しくは別のシステムに統合されてよく、又は、いくつかの特徴が、無視され若しくは実行されなくてもよい。さらに、表示又は説明されている相互結合若しくは直接結合又は通信接続は、いくつかのインタフェースを用いることにより実装されてよい。装置間又はユニット間の間接的な結合又は通信接続は、電子的、機械的又は他の形式で実装されてよい。
【０１３８】
別個の部分として説明されるユニットは、物理的に分離であってもそうでなくてもよく、ユニットとして表示される部分は、物理ユニットであってもそうでなくてもよく、１か所に配置されてもよいし、複数のネットワークユニットに分散されてもよい。ユニットの一部又はすべては、実施形態の解決手段の目的を実現するために実際の必要性に応じて選択されてよい。
【０１３９】
さらに、本発明の実施形態における機能的なユニットは、１つの処理ユニットに統合されてよい、又は、ユニットのそれぞれが、物理的に単独で存在してもよいし、２又はそれより多いユニットが、１つのユニットに統合されてもよい。統合されたユニットは、ハードウェアの形式で実装されてよい、又は、ソフトウェア機能ユニットの形式で実装されてもよい。
【０１４０】
統合されたユニットが、ソフトウェア機能ユニットの形式で実装され、独立した製品として販売又は用いられる場合、統合されたユニットは、コンピュータ可読記憶媒体に格納されてよい。そのような理解に基づいて、本発明の技術的解決手段は本質的に、又は、従来技術に対して寄与する部分は、又は、技術的解決手段のすべて又は一部は、ソフトウェア製品の形式で実装されてよい。ソフトウェア製品は、記憶媒体に格納され、本発明の実施形態において説明された方法の段階のすべて又は一部を実行するよう、コンピュータデバイス（パーソナルコンピュータ、サーバ又はネットワークデバイスであってよい）に指示するためのいくつかの命令を含む。前述の記憶媒体は、プログラムコード、例えば、ＵＳＢフラッシュドライブ、取り外し可能なハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスクを格納できる任意の媒体を含む。
【０１４１】
本明細書では、本発明の原理及び実装例を説明するために特定の例が用いられているが、実施形態の説明は、本発明の方法及び核となる思想の理解を助けることのみが意図されている。一方で、当業者であれば、本発明の思想に基づいて、特定の実施例及び本願の範囲に関して変更を行い得る。したがって、本明細書の内容は、本発明に対する限定として解釈されるものではない。
【図１】
2019531015.tif 000010
【図２】
2019531015.tif 000011
【図３】
2019531015.tif 000012
【図４】
2019531015.tif 000013
【図５】
2019531015.tif 000014
【図６】
2019531015.tif 000015
【図７】
2019531015.tif 000016
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
基準シンボルインジケーション方法であって、
装置により、基地局により送信された目標パラメータを受信する段階であって、前記目標パラメータは、目標基準シンボルインジケーションを有する、段階と、
前記装置により、前記目標パラメータ及び予め設定された基準シンボルのマッピング関係に基づいて、目標伝送モード及び目標基準シンボル情報を決定する段階であって、前記予め設定された基準シンボルのマッピング関係は、基準シンボルインジケーションと、基準シンボル情報と、伝送モードとの間のマッピング関係を有し、前記伝送モードは、データを送信するために前記基地局により用いられる伝送モードであり、開ループ伝送モード及び閉ループ伝送モードを有する、段階と、
前記装置により、前記目標基準シンボル情報に基づいて目標基準シンボルを生成して、前記目標基準シンボル及び前記目標伝送モードに基づいて前記データを復調する段階と
を備える方法。
【請求項２】
前記目標パラメータは、目標伝送モードインジケーションをさらに有し、
前記予め設定された基準シンボルのマッピング関係は、第１のマッピングテーブル及び第２のマッピングテーブルを有し、前記第１のマッピングテーブルは、前記開ループ伝送モードにおける前記基準シンボルインジケーションと前記基準シンボル情報との間のマッピング関係を有し、前記第２のマッピングテーブルは、前記閉ループ伝送モードにおける前記基準シンボルインジケーションと前記基準シンボル情報との間のマッピング関係を有し、
前記装置により、前記目標パラメータ及び予め設定された基準シンボルのマッピング関係に基づいて、目標伝送モード及び目標基準シンボル情報を決定する前記段階は、
前記装置により、前記目標伝送モードインジケーションに基づいて前記目標伝送モードを決定し、前記目標伝送モードに基づいて、前記第１のマッピングテーブル及び前記第２のマッピングテーブルの中から目標マッピングテーブルを決定し、前記目標マッピングテーブルにおいて、前記目標基準シンボルインジケーションに対応する前記目標基準シンボル情報を決定する段階であって、前記目標マッピングテーブルは、前記第１のマッピングテーブル及び前記第２のマッピングテーブルのうちの一方である、段階を有する、請求項１に記載の方法。
【請求項３】
装置により、基地局により送信された目標パラメータを受信する前記段階は、
前記装置により、物理ダウンリンク制御チャネルＰＤＣＣＨを通じて前記基地局により送信された前記目標パラメータを受信する段階であって、前記ＰＤＣＣＨ内の第１のフィールドは、前記目標伝送モードインジケーションを示すために用いられ、前記ＰＤＣＣＨ内の第２のフィールドは、前記目標基準シンボルインジケーションを示すために用いられる、段階を有する、請求項２に記載の方法。
【請求項４】
装置により、基地局により送信された目標パラメータを受信する前記段階は、
前記装置により、無線リソース制御ＲＲＣシグナリングを用いることにより、前記基地局により送信された前記目標伝送モードインジケーションを受信し、ＰＤＣＣＨを通じて前記基地局により送信された前記目標基準シンボルインジケーションを受信する段階を有する、請求項２に記載の方法。
【請求項５】
前記予め設定された基準シンボルのマッピング関係は、第３のマッピングテーブルを有し、前記第３のマッピングテーブルは、前記開ループ伝送モードにおける前記基準シンボルインジケーションと前記基準シンボル情報との間のマッピング関係、及び、前記閉ループ伝送モードにおける前記基準シンボルインジケーションと前記基準シンボル情報との間のマッピング関係を有し、
前記装置により、前記目標パラメータ及び予め設定された基準シンボルのマッピング関係に基づいて、目標伝送モード及び目標基準シンボル情報を決定する前記段階は、
前記装置により、前記目標基準シンボルインジケーションに基づいて、前記第３のマッピングテーブルにおいて、前記目標伝送モードを決定する段階と、前記第３のマッピングテーブルにおいて、前記目標基準シンボルインジケーションに対応する前記目標基準シンボル情報を決定する段階とを有する、請求項１に記載の方法。
【請求項６】
前記基準シンボルは、ロングタームエボリューションＬＴＥシステムにおける復調基準信号ＤＭＲＳであり、前記基準シンボルインジケーションは、ＤＭＲＳインジケーションであり、前記基準シンボル情報は、ＤＭＲＳメッセージであり、前記ＤＭＲＳメッセージは、スクランブリングコードＮｓｃｉｄを有し、
前記スクランブリングコードＮｓｃｉｄの様々な値は、前記ＤＭＲＳインジケーションに対応する様々な伝送モードを示すために用いられ、前記開ループ伝送モードにおけるＤＭＲＳインジケーションに対応するＤＭＲＳメッセージにおいて、Ｎｓｃｉｄ＝１である、請求項５に記載の方法。
【請求項７】
前記基準シンボル情報は、直交カバーコードＯＣＣを有し、前記開ループ伝送モードにおける基準シンボル情報内の直交カバーコードの長さは、２より小さい又は２に等しい、請求項１から６のいずれか一項に記載の方法。
【請求項８】
前記基準シンボル情報は、データのトランスポート層の数を有し、前記開ループ伝送モードにおける前記基準シンボル情報内の前記データのトランスポート層の数は、４より小さい又は４に等しい、請求項１から６のいずれか一項に記載の方法。
【請求項９】
装置により、基地局により送信された目標パラメータを受信する前記段階は、
前記装置により、ＰＤＣＣＨを通じて前記基地局により送信された前記目標パラメータを受信する段階を有する、請求項５又は６に記載の方法。
【請求項１０】
基準シンボルインジケーション方法であって、
基地局により、ユーザ機器にデータを送信する段階と、
前記基地局により、予め設定された基準シンボルのマッピング関係と、前記データを送信するために用いられる目標伝送モード及び目標基準シンボル情報とに基づいて目標パラメータを決定する段階であって、前記予め設定された基準シンボルのマッピング関係は、基準シンボルインジケーションと、基準シンボル情報と、伝送モードとの間のマッピング関係を有し、前記伝送モードは、開ループ伝送モード及び閉ループ伝送モードを有する、段階と、
前記基地局により、前記ユーザ機器に前記目標パラメータを送信する段階であって、前記目標パラメータは、前記データを送信するために前記基地局により用いられる前記目標伝送モード及び前記目標基準シンボル情報を決定し、前記目標基準シンボル情報に基づいて目標基準シンボルを生成し、前記目標基準シンボル及び前記目標伝送モードに基づいて前記データを復調するよう前記ユーザ機器に指示するために用いられる、段階と
を備える方法。
【請求項１１】
前記目標パラメータは、目標伝送モードインジケーション及び目標基準シンボルインジケーションを有し、
前記予め設定された基準シンボルのマッピング関係は、第１のマッピングテーブル及び第２のマッピングテーブルを有し、前記第１のマッピングテーブルは、前記開ループ伝送モードにおける前記基準シンボルインジケーションと前記基準シンボル情報との間のマッピング関係を有し、前記第２のマッピングテーブルは、前記閉ループ伝送モードにおける前記基準シンボルインジケーションと前記基準シンボル情報との間のマッピング関係を有し、
前記基地局により、予め設定された基準シンボルのマッピング関係と、前記データを送信するために用いられる目標伝送モード及び目標基準シンボル情報とに基づいて目標パラメータを決定する前記段階は、
前記基地局により、前記目標伝送モードに基づいて前記目標伝送モードインジケーションを決定する段階と、
前記基地局により、前記目標伝送モードに基づいて、前記第１のマッピングテーブル及び前記第２のマッピングテーブルの中から目標マッピングテーブルを決定し、前記目標マッピングテーブルにおいて、前記目標基準シンボル情報に対応する前記目標基準シンボルインジケーションを決定する段階であって、前記目標マッピングテーブルは、前記第１のマッピングテーブル及び前記第２のマッピングテーブルのうちの一方である、段階と
を有する、請求項１０に記載の方法。
【請求項１２】
前記基地局により、前記ユーザ機器に前記目標パラメータを送信する前記段階は、
前記基地局により、物理ダウンリンク制御チャネルＰＤＣＣＨを通じて前記ユーザ機器に前記目標パラメータを送信する段階であって、前記ＰＤＣＣＨ内の第１のフィールドは、前記目標伝送モードインジケーションを示すために用いられ、前記ＰＤＣＣＨ内の第２のフィールドは、前記目標基準シンボルインジケーションを示すために用いられる、段階を有する、請求項１１に記載の方法。
【請求項１３】
前記基地局により、前記ユーザ機器に前記目標パラメータを送信する前記段階は、
前記基地局により、無線リソース制御ＲＲＣシグナリングを用いることにより、前記ユーザ機器に前記目標伝送モードインジケーションを送信し、ＰＤＣＣＨを通じて前記ユーザ機器に前記目標基準シンボルインジケーションを送信する段階を有する、請求項１１に記載の方法。
【請求項１４】
前記目標パラメータは、目標基準シンボルインジケーションを有し、
前記予め設定された基準シンボルのマッピング関係は、第３のマッピングテーブルを有し、前記第３のマッピングテーブルは、前記開ループ伝送モードにおける前記基準シンボルインジケーションと前記基準シンボル情報との間のマッピング関係、及び、前記閉ループ伝送モードにおける前記基準シンボルインジケーションと前記基準シンボル情報との間のマッピング関係を有する、段階と、
前記基地局により、予め設定された基準シンボルのマッピング関係と、前記データを送信するために用いられる目標伝送モード及び目標基準シンボル情報とに基づいて目標パラメータを決定する前記段階は、
前記基地局により、前記目標伝送モード及び前記目標基準シンボル情報に基づいて、前記第３のマッピングテーブルにおいて、前記目標基準シンボルインジケーションを決定する段階を有する、請求項１０に記載の方法。
【請求項１５】
前記基準シンボルは、ＬＴＥシステムにおける復調基準信号ＤＭＲＳであり、前記基準シンボルインジケーションは、ＤＭＲＳインジケーションであり、前記基準シンボル情報は、ＤＭＲＳメッセージであり、前記ＤＭＲＳメッセージは、スクランブリングコードＮｓｃｉｄを有し、
前記スクランブリングコードＮｓｃｉｄの様々な値は、前記ＤＭＲＳインジケーションに対応する様々な伝送モードを示すために用いられ、前記開ループ伝送モードにおけるＤＭＲＳインジケーションに対応するＤＭＲＳメッセージにおいて、Ｎｓｃｉｄ＝１である、請求項１４に記載の方法。
【請求項１６】
前記基準シンボル情報は、直交カバーコードＯＣＣを有し、前記開ループ伝送モードにおける基準シンボル情報内の直交カバーコードの長さは、２より小さい又は２に等しい、請求項１０から１５のいずれか一項に記載の方法。
【請求項１７】
前記基準シンボル情報は、データのトランスポート層の数を有し、前記開ループ伝送モードにおける前記基準シンボル情報内の前記データのトランスポート層の数は、４より小さい又は４に等しい、請求項１０から１５のいずれか一項に記載の方法。
【請求項１８】
前記基地局により、前記ユーザ機器に前記目標パラメータを前記送信する段階は、
前記基地局により、ＰＤＣＣＨを通じて前記ユーザ機器に前記目標基準シンボルインジケーションを送信する段階を有する、請求項１４又は１５に記載の方法。
【請求項１９】
基地局により送信された目標パラメータを受信するように構成される受信ユニットであって、前記目標パラメータは、目標基準シンボルインジケーションを有する、受信ユニットと、
前記目標パラメータ及び予め設定された基準シンボルのマッピング関係に基づいて、目標伝送モード及び目標基準シンボル情報を決定するように構成される基準シンボル情報決定ユニットであって、前記予め設定された基準シンボルのマッピング関係は、基準シンボルインジケーションと、基準シンボル情報と、伝送モードとの間のマッピング関係を有し、前記伝送モードは、データを送信するために前記基地局により用いられる伝送モードであり、開ループ伝送モード及び閉ループ伝送モードを有する、基準シンボル情報決定ユニットと、
前記目標基準シンボル情報に基づいて目標基準シンボルを生成するように構成される基準シンボル生成ユニットと、
前記目標基準シンボル及び前記目標伝送モードに基づいて前記データを復調するように構成されるデータ復調ユニットと
を備える装置。
【請求項２０】
前記受信ユニットにより受信される前記目標パラメータは、目標伝送モードインジケーションをさらに有し、
前記予め設定された基準シンボルのマッピング関係は、第１のマッピングテーブル及び第２のマッピングテーブルを有し、前記第１のマッピングテーブルは、前記開ループ伝送モードにおける前記基準シンボルインジケーションと前記基準シンボル情報との間のマッピング関係を有し、前記第２のマッピングテーブルは、前記閉ループ伝送モードにおける前記基準シンボルインジケーションと前記基準シンボル情報との間のマッピング関係を有し、
前記基準シンボル情報決定ユニットは、具体的には、前記目標伝送モードインジケーションに基づいて前記目標伝送モードを決定し、前記目標伝送モードに基づいて、前記第１のマッピングテーブル及び前記第２のマッピングテーブルの中から目標マッピングテーブルを決定し、前記目標マッピングテーブルにおいて、前記目標基準シンボルインジケーションに対応する前記目標基準シンボル情報を決定するように構成され、前記目標マッピングテーブルは、前記第１のマッピングテーブル及び前記第２のマッピングテーブルのうちの一方である、請求項１９に記載の装置。
【請求項２１】
前記受信ユニットは、具体的には、物理ダウンリンク制御チャネルＰＤＣＣＨを通じて前記基地局により送信された前記目標パラメータを受信するように構成され、前記ＰＤＣＣＨ内の第１のフィールドは、前記目標伝送モードインジケーションを示すために用いられ、前記ＰＤＣＣＨ内の第２のフィールドは、前記目標基準シンボルインジケーションを示すために用いられる、請求項２０に記載の装置。
【請求項２２】
前記受信ユニットは、具体的には、無線リソース制御ＲＲＣシグナリングを用いることにより、前記基地局により送信された前記目標伝送モードインジケーションを受信し、ＰＤＣＣＨを通じて前記基地局により送信された前記目標基準シンボルインジケーションを受信するように構成される、請求項２０に記載の装置。
【請求項２３】
前記予め設定された基準シンボルのマッピング関係は、第３のマッピングテーブルを有し、前記第３のマッピングテーブルは、前記開ループ伝送モードにおける前記基準シンボルインジケーションと前記基準シンボル情報との間のマッピング関係、及び、前記閉ループ伝送モードにおける前記基準シンボルインジケーションと前記基準シンボル情報との間のマッピング関係を有し、
前記基準シンボル情報決定ユニットは、具体的には、前記目標基準シンボルインジケーションに基づいて、前記第３のマッピングテーブルにおいて、前記目標伝送モードを決定し、前記第３のマッピングテーブルにおいて、前記目標基準シンボルインジケーションに対応する前記目標基準シンボル情報を決定するように構成される、請求項１９に記載の装置。
【請求項２４】
前記基準シンボルは、ＬＴＥシステムにおける復調基準信号ＤＭＲＳであり、前記基準シンボルインジケーションは、ＤＭＲＳインジケーションであり、前記基準シンボル情報は、ＤＭＲＳメッセージであり、
前記ＤＭＲＳメッセージは、スクランブリングコードＮｓｃｉｄを有し、前記スクランブリングコードＮｓｃｉｄの様々な値は、前記ＤＭＲＳインジケーションに対応する様々な伝送モードを示すために用いられ、前記開ループ伝送モードにおけるＤＭＲＳインジケーションに対応するＤＭＲＳメッセージにおいて、Ｎｓｃｉｄ＝１である、請求項２３に記載の装置。
【請求項２５】
前記基準シンボル情報は、直交カバーコードＯＣＣを有し、前記開ループ伝送モードにおける基準シンボル情報内の直交カバーコードの長さは、２より小さい又は２に等しい、請求項１９から２４のいずれか一項に記載の装置。
【請求項２６】
前記基準シンボル情報は、データのトランスポート層の数を有し、前記開ループ伝送モードにおける前記基準シンボル情報内の前記データのトランスポート層の数は、４より小さい又は４に等しい、請求項１９から２４のいずれか一項に記載の装置。
【請求項２７】
前記受信ユニットは、具体的には、ＰＤＣＣＨを通じて前記基地局により送信された前記目標パラメータを受信するように構成される、請求項２３又は２４に記載の装置。
【請求項２８】
基地局であって、
ユーザ機器にデータを送信するように構成される送信ユニットと、
予め設定された基準シンボルのマッピング関係と、前記データを送信するために用いられる目標伝送モード及び目標基準シンボル情報とに基づいて目標パラメータを決定するように構成される目標パラメータ決定ユニットであって、前記予め設定された基準シンボルのマッピング関係は、基準シンボルインジケーションと、基準シンボル情報と、伝送モードとの間のマッピング関係を有し、前記伝送モードは、開ループ伝送モード及び閉ループ伝送モードを有する、目標パラメータ決定ユニットと
を備え、
前記送信ユニットは、前記ユーザ機器に前記目標パラメータを送信するようにさらに構成され、前記目標パラメータは、前記データを送信するために前記基地局により用いられる前記目標伝送モード及び前記目標基準シンボル情報を決定し、前記目標基準シンボル情報に基づいて目標基準シンボルを生成し、前記目標基準シンボル及び前記目標伝送モードに基づいて前記データを復調するよう前記ユーザ機器に指示するために用いられる、基地局。
【請求項２９】
前記目標パラメータは、目標伝送モードインジケーション及び目標基準シンボルインジケーションを有し、
前記予め設定された基準シンボルのマッピング関係は、第１のマッピングテーブル及び第２のマッピングテーブルを有し、前記第１のマッピングテーブルは、前記開ループ伝送モードにおける前記基準シンボルインジケーションと前記基準シンボル情報との間のマッピング関係を有し、前記第２のマッピングテーブルは、前記閉ループ伝送モードにおける前記基準シンボルインジケーションと前記基準シンボル情報との間のマッピング関係を有し、
前記送信ユニットは、具体的には、前記目標伝送モードに基づいて前記目標伝送モードインジケーションを決定し、前記目標伝送モードに基づいて、前記第１のマッピングテーブル及び前記第２のマッピングテーブルの中から目標マッピングテーブルを決定し、前記目標マッピングテーブルにおいて、前記目標基準シンボル情報に対応する前記目標基準シンボルインジケーションを決定するように構成され、前記目標マッピングテーブルは、前記第１のマッピングテーブル及び前記第２のマッピングテーブルのうちの一方である、請求項２８に記載の基地局。
【請求項３０】
前記送信ユニットは、具体的には、物理ダウンリンク制御チャネルＰＤＣＣＨを通じて前記ユーザ機器に前記目標パラメータを送信するように構成され、前記ＰＤＣＣＨ内の第１のフィールドは、前記目標伝送モードインジケーションを示すために用いられ、前記ＰＤＣＣＨ内の第２のフィールドは、前記目標基準シンボルインジケーションを示すために用いられる、請求項２９に記載の基地局。
【請求項３１】
前記送信ユニットは、具体的には、無線リソース制御ＲＲＣシグナリングを用いることにより、前記ユーザ機器に前記目標伝送モードインジケーションを送信し、ＰＤＣＣＨを通じて前記ユーザ機器に前記目標基準シンボルインジケーションを送信するように構成される、請求項２９に記載の基地局。
【請求項３２】
前記目標パラメータは、目標基準シンボルインジケーションを有し、
前記予め設定された基準シンボルのマッピング関係は、第３のマッピングテーブルを有し、前記第３のマッピングテーブルは、前記開ループ伝送モードにおける前記基準シンボルインジケーションと前記基準シンボル情報との間のマッピング関係、及び、前記閉ループ伝送モードにおける前記基準シンボルインジケーションと前記基準シンボル情報との間のマッピング関係を有し、
前記送信ユニットは、具体的には、前記目標伝送モード及び前記目標基準シンボル情報に基づいて、前記第３のマッピングテーブルにおいて、前記目標基準シンボルインジケーションを決定するように構成される、請求項２８に記載の基地局。
【請求項３３】
前記基準シンボルは、ＬＴＥシステムにおける復調基準信号ＤＭＲＳであり、前記基準シンボルインジケーションは、ＤＭＲＳインジケーションであり、前記基準シンボル情報は、ＤＭＲＳメッセージであり、前記ＤＭＲＳメッセージは、スクランブリングコードＮｓｃｉｄを有し、
前記スクランブリングコードＮｓｃｉｄの様々な値は、前記ＤＭＲＳインジケーションに対応する様々な伝送モードを示すために用いられ、前記開ループ伝送モードにおけるＤＭＲＳインジケーションに対応するＤＭＲＳメッセージにおいて、Ｎｓｃｉｄ＝１である、請求項３２に記載の基地局。
【請求項３４】
前記基準シンボル情報は、直交カバーコードＯＣＣを有し、前記開ループ伝送モードにおける基準シンボル情報内の直交カバーコードの長さは、２より小さい又は２に等しい、請求項２８から３３のいずれか一項に記載の基地局。
【請求項３５】
前記基準シンボル情報は、データのトランスポート層の数を有し、前記開ループ伝送モードにおける前記基準シンボル情報内の前記データのトランスポート層の数は、４より小さい又は４に等しい、請求項２８から３３のいずれか一項に記載の基地局。
【請求項３６】
前記送信ユニットは、具体的には、ＰＤＣＣＨを通じて前記ユーザ機器に前記目標基準シンボルインジケーションを送信するように構成される、請求項３２又は３３に記載の基地局。
【請求項３７】
ユーザ機器であって
互いに接続されるトランシーバと、プロセッサとメモリとを備え、
前記メモリは、プログラムコードを格納するように構成され、前記プロセッサは、前記メモリ内の前記プログラムコードを呼び出して、
前記トランシーバを用いることにより、基地局により送信された目標パラメータを受信する手順であって、前記目標パラメータは、目標基準シンボルインジケーションを有する、手順と、前記メモリ内の予め設定された基準シンボルのマッピング関係及び前記目標パラメータに基づいて、目標伝送モード及び目標基準シンボル情報を決定する手順と、前記目標基準シンボル情報に基づいて目標基準シンボルを生成する手順と、前記目標基準シンボル及び前記目標伝送モードに基づいてデータを復調する手順とを実行し、
前記予め設定された基準シンボルのマッピング関係は、基準シンボルインジケーションと、基準シンボル情報と、伝送モードとの間のマッピング関係を有し、前記伝送モードは、データを送信するために前記基地局により用いられる伝送モードであり、開ループ伝送モード及び閉ループ伝送モードを有する、ユーザ機器。
【請求項３８】
基地局であって、
互いに接続されるトランシーバと、プロセッサとメモリとを備え、
前記メモリは、プログラムコードを格納するように構成され、前記プロセッサは、前記メモリ内の前記プログラムコードを呼び出して、
前記トランシーバを用いることによりユーザ機器にデータを送信する手順と、予め設定された基準シンボルのマッピング関係と、前記データを送信するために用いられる目標伝送モード及び目標基準シンボル情報とに基づいて目標パラメータを決定する手順と、前記トランシーバを用いることにより前記ユーザ機器に前記目標パラメータを送信する手順とを実行し、
前記予め設定された基準シンボルのマッピング関係は、基準シンボルインジケーションと、基準シンボル情報と、伝送モードとの間のマッピング関係を有し、前記伝送モードは、開ループ伝送モード及び閉ループ伝送モードを有し、前記目標パラメータは、前記データを送信するために前記基地局により用いられる前記目標伝送モード及び前記目標基準シンボル情報を決定し、前記目標基準シンボル情報に基づいて目標基準シンボルを生成し、前記目標基準シンボル及び前記目標伝送モードに基づいて前記データを復調するよう前記ユーザ機器に指示するために用いられる、基地局。
【請求項３９】
基地局とユーザ機器とを備え、前記基地局は、前記ユーザ機器と通信し、
前記基地局は、請求項１０から１８のいずれか一項に記載の方法を実行し、前記ユーザ機器は、請求項１から９のいずれか一項に記載の方法を実行する、通信システム。
【請求項４０】
コンピュータに、請求項１から９のいずれか一項に記載の方法を実行させるためのプログラム。
【請求項４１】
コンピュータに、請求項１０から１８のいずれか一項に記載の方法を実行させるためのプログラム。
【手続補正２】
【補正対象書類名】明細書
【補正対象項目名】００５０
【補正方法】変更
【補正の内容】
【００５０】
基地局は送信機１００を含み、基地局は情報信号を送信機１００に入力する。送信機１００は、送信機１００の動作全体を制御するコントローラ１２０及び伝送信号プロセッサ１３０を含む。伝送信号プロセッサ１３０は、エラーコーディングを実行し、入力ビットを変調シンボルにマッピングし、伝送対象の信号を送信アンテナ１１０ごとに生成する。周波数のアップコンバージョン、フィルタリング及び増幅を実行した後に、送信機１００は、対応する送信アンテナ１１０から通信チャネルを通じてユーザ機器に伝送対象の信号を伝送する。
【手続補正３】
【補正対象書類名】明細書
【補正対象項目名】００５１
【補正方法】変更
【補正の内容】
【００５１】
ユーザ機器の受信機２００は、各アンテナ２１０において受信した信号を復調及びデコードする。受信機２００は、受信機２００の動作を制御するコントローラ２２０及び受信信号プロセッサ２３０を含む。受信信号プロセッサ２３０は、基地局から伝送された信号を復調及びデコードする。
【手続補正４】
【補正対象書類名】明細書
【補正対象項目名】００５８
【補正方法】変更
【補正の内容】
【００５８】
例えば、ランクがＲである場合、基地局は、プリコーディング行列グループを指定し、プリコーディング行列グループは、Ｎ個のプリコーディング行列、すなわち、｛ｗ０，ｗ１，・・・，ｗＮ−１｝を含む。基地局は、ＰＤＳＣＨチャネルをＵＥに伝送する。ＵＥに割り当てられる帯域幅において、Ｎ個のプリコーディング行列が、ルール、例えば、
第１サブキャリア：ｄ０＝ｗ０ｓ０
第２サブキャリア：ｄ１＝ｗ１ｓ１
・・・
第Ｍサブキャリア：ｄＭ−１＝ｗ（Ｍ−１）ｍｏｄＮｓ（Ｍ−１）ｍｏｄＮ
に基づいて順番に用いられ、ｄｍ−１は、第Ｍサブキャリア上で基地局により送信されるデータ信号であり、ｄｍ−１の次元は、Ｎｔ×１であり、Ｎｔは、基地局側の送信アンテナポートの数であり、ｗｍ−１の次元は、Ｎｔ×Ｒであり、ｓｍ−１の次元は、Ｒ×１であり、各サブキャリア上で送信されるデータシンボルのＲ個の層を表す。
【手続補正５】
【補正対象書類名】明細書
【補正対象項目名】００６１
【補正方法】変更
【補正の内容】
【００６１】
Ｒ１３（リリース１３）より前のプロトコルでは、ＤＭＲＳのポート番号を示すために、ＰＤＣＣＨ内のダウンリンク制御情報（Ｄｏｗｎｌｉｎｋ  Ｃｏｎｔｒｏｌ  Ｉｎｆｏｒｍａｔｉｏｎ、ＤＣＩ）において３ビットがあり、ＤＭＲＳポートマッピングテーブルが表１に示される。３ビットの値は、様々なＤＭＲＳメッセージ（Ｍｅｓｓａｇｅ）を示すためにそれぞれ用いられるＤＭＲＳインジケーション値（Ｖａｌｕｅ）である。表１の左側部分は、１つのコードワード（Ｏｎｅ  Ｃｏｄｅｗｏｒｄ）がある場合の、様々なＤＭＲＳインジケーション値（Ｖａｌｕｅ）に対応するＤＭＲＳメッセージ（Ｍｅｓｓａｇｅ）を示す。表１の右側部分は、２つのコードワード（Ｔｗｏ  Ｃｏｄｅｗｏｒｄｓ）がある場合の、様々なＤＭＲＳインジケーション値（Ｖａｌｕｅ）に対応するＤＭＲＳメッセージ（Ｍｅｓｓａｇｅ）を示す。ＤＭＲＳメッセージは、情報、例えば、ＤＭＲＳポート（Ｐｏｒｔ）番号、データマッピング層（ｌａｙｅｒ）の数、及び、スクランブリングコードＩＤ（Ｓｃｒａｍｂｌｉｎｇ‐ｃｏｄｅ  ｉｄｅｎｔｉｆｉｃａｔｉｏｎ、Ｎｓｃｉｄ）の組み合わせを含む。
【表１】
2019531015.tif 000017
【手続補正６】
【補正対象書類名】明細書
【補正対象項目名】０１２５
【補正方法】変更
【補正の内容】
【０１２５】
いくつかの具体的な実施例において、受信ユニット５０１が、具体的には、無線リソース制御ＲＲＣシグナリングを用いることにより、基地局により送信された目標伝送モードインジケーションを受信し、ＰＤＣＣＨを通じて基地局により送信された目標基準シンボルインジケーションを受信するように構成される。
【手続補正７】
【補正対象書類名】明細書
【補正対象項目名】０１３０
【補正方法】変更
【補正の内容】
【０１３０】
さらに、本発明の実施形態における基地局は、具体的には、
ユーザ機器にデータを送信するように構成される送信ユニット６０１と、
予め設定された基準シンボルのマッピング関係と、データを送信するために用いられる目標伝送モード及び目標基準シンボル情報とに基づいて目標パラメータを決定するように構成される目標パラメータ決定ユニット６０２であって、予め設定された基準シンボルのマッピング関係は、基準シンボルインジケーションと、基準シンボル情報と、伝送モードとの間のマッピング関係を含み、伝送モードは、開ループ伝送モード及び閉ループ伝送モードを含む、目標パラメータ決定ユニット６０２と
を含み、
送信ユニット６０１は、ユーザ機器に目標パラメータを送信するようにさらに構成され、目標パラメータは、データを送信するために基地局により用いられる目標伝送モード及び目標基準シンボル情報を決定し、目標基準シンボル情報に基づいて目標基準シンボルを生成し、目標基準シンボル及び目標伝送モードに基づいてデータを復調するようユーザ機器に指示するために用いられる。
【国際調査報告】
2019531015.tif 000018
2019531015.tif 000019
2019531015.tif 000020
2019531015.tif 000021